(57)【要約】情報要素を伝送する方法、通信ノード、システム、および記憶媒体が、提供される。方法は、第１の通信ノードが、第１の通信ノードが能力情報を第２の通信ノードに送信すること、第１の通信ノードが第２の通信ノードによって構成された情報要素のパラメータ情報を受信すること、または第１の通信ノードが第２の通信ノードによって構成された情報要素のチャネル特性仮説を受信することのうちの少なくとも１つを実施するステップと、第１の通信ノードが、能力情報、パラメータ情報、または情報要素のチャネル特性仮説のうちの少なくとも１つに従って、情報要素を受信する様式を決定するステップとを含む。情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。
2021531694.tif 000002
【特許請求の範囲】
【請求項１】
情報要素を伝送する方法であって、前記方法は、
第１の通信ノードによって、能力情報を第２の通信ノードに送信すること、前記第１の通信ノードによって、第２の通信ノードによって構成された情報要素のパラメータ情報を受信すること、または、前記第１の通信ノードによって、前記第２の通信ノードによって構成された前記情報要素のチャネル特性仮説を受信することのうちの少なくとも１つを前記第１の通信ノードによって実施することと、
前記第１の通信ノードによって、前記能力情報、前記パラメータ情報、または前記情報要素の前記チャネル特性仮説のうちの少なくとも１つに従って、前記情報要素を受信する様式を決定することと
を含み、
前記情報要素は、Ｑ１個の参照信号、Ｑ２個のデータチャネル、またはＱ３個の制御チャネルのうちの少なくとも１つを備え、Ｑ１、Ｑ２、およびＱ３は、１以上の整数である、方法。
【請求項２】
前記情報要素の特性は、
複数の情報要素を同時に伝送すること、
前記第２の通信ノードによって、複数の情報要素を同時に送信すること、
前記第１の通信ノードによって、複数の情報要素を同時に受信すること、または、
複数の情報要素が同じ時間単位に関連付けられていること、または、複数の情報要素に関連付けられた時間単位が部分的または完全に重複していること
のうちの少なくとも１つを含み、
前記同じ時間単位または前記時間単位の各々は、直交周波数分割多重化、ＯＦＤＭシンボル、サブＯＦＤＭシンボル、またはスロットのうちの少なくとも１つを備えている、請求項１に記載の方法。
【請求項３】
前記能力情報は、第１のタイプの情報、第２のタイプの情報、または第３のタイプの情報以のうちの少なくとも１つを備えている、請求項１に記載の方法。
【請求項４】
前記第１のタイプの情報は、
第Ａタイプのパケットの数、
前記第１の通信ノードの第Ａのタイプのパケットの数、
チャネル状態情報レポートにおける第１のタイプのパケット内の参照信号の数または最大数、
チャネル状態情報レポートにおける第２のタイプのパケット内の参照信号の数または最大数、
チャネル状態情報レポートにおける第３のタイプのパケット内の参照信号の数または最大数、
同時に送信されるアップリンク参照信号リソースまたはアップリンクチャネルのうちの少なくとも１つの数または最大数、
同時に受信されるダウンリンク参照信号リソースまたはダウンリンクチャネルのうちの少なくとも１つの数または最大数、
同時に受信されるダウンリンク参照信号リソースまたはダウンリンクチャネルのチャネル特性仮説のうちの少なくとも１つの数または最大数、
同時に受信されるダウンリンク参照信号リソースまたはダウンリンクチャネルのうちの少なくとも１つの異なるチャネル特性仮説の数または最大数、または、異なるチャネル特性仮説を有し、同時に受信されるダウンリンク情報要素の数または最大数、
参照信号リソースまたは参照信号リソースセットによって構成されるチャネル特性仮説の数または最大数、
参照信号リソースセット、ビーム管理のための参照信号リソースセット、参照信号受信電力レポートのための参照信号リソース、参照信号受信品質レポートのための参照信号リソース、信号対干渉および雑音比レポートのための参照信号リソースセット、または、反復シグナリングを伴って構成される参照信号リソースセットのうちの１つの数または最大数、
復調参照信号ポート群の数または最大数、または合同伝送モードにおける復調参照信号ポート群の数または最大数、または
物理ダウンリンク制御チャネルの制御リソースセットの組み合わせの数または最大数
のうちの少なくとも１つを備えている、請求項３に記載の方法。
【請求項５】
前記アップリンク参照信号は、質測定用参照信号、位相追跡参照信号、または復調参照信号の少なくとも１つを備えている、請求項４に記載の方法。
【請求項６】
前記ダウンリンク参照信号は、チャネル状態情報参照信号、ダウンリンク位相追跡参照信号、同期化信号ブロック、同期化信号／物理ブロードキャストチャネル、ダウンリンク復調参照信号、または追跡のためのチャネル状態情報参照信号のうちの少なくとも１つを備えている、請求項４に記載の方法。
【請求項７】
前記第２のタイプの情報は、
１つの第Ａタイプのパケットの下の第Ｂタイプのパケットの数、
前記第１の通信ノードの１つの第Ａタイプのパケットの下の第Ｂタイプのパケットの数、または、
チャネル状態情報レポートにおける１つの第３のタイプのパケット内で同時に受信される参照信号の数または最大数
のうちの少なくとも１つを備えている、請求項３に記載の方法。
【請求項８】
前記第３のタイプの情報は、
ダウンリンク情報要素を同時に受信することの能力情報、
マルチ伝送ノード伝送モードの能力情報、または合同伝送モードの能力情報、または直接通信の能力情報、
複数の復調参照信号ポート群のモードの能力情報、
物理ダウンリンク制御チャネルの制御リソースセットの複数の組み合わせの能力情報、または、
パケットレポートの能力情報
のうちの少なくとも１つを備えている、請求項３に記載の方法。
【請求項９】
前記パラメータ情報は、第４のタイプの情報または第５のタイプの情報のうちの少なくとも１つを備えている、請求項１に記載の方法。
【請求項１０】
前記第４のタイプの情報は、
第Ａタイプのパケットの数、
前記第２の通信ノードの第Ａタイプのパケットの数、
同時に送信されるダウンリンク情報要素のチャネル特性仮説の数または最大数、または、同時に送信されるダウンリンク情報要素の異なるチャネル特性仮説の数または最大数、
同時に送信されるダウンリンク情報要素の数または最大数、または、異なるチャネル特性仮説を有し、同時に送信されるダウンリンク情報要素の数または最大数、
同時に処理されるダウンリンク情報要素の数または最大数、
同時に処理されるダウンリンク情報要素に関連付けられたチャネル特性仮説の数または最大数、
同時に処理されるダウンリンク情報要素の異なるチャネル特性仮説の数または最大数、
異なるチャネル特性仮説を有し、同時に処理されるダウンリンク情報要素の数または最大数、
チャネル状態情報レポートにおける第１のタイプのパケット内の参照信号の数または最大数、または、チャネル状態情報レポートにおける第１のタイプのパケット内の同じ参照信号リソースセットからであるか、または同じ参照信号構成である参照信号の数または最大数、
チャネル状態情報レポートにおける第２のタイプのパケット内の参照信号の数または最大数、または、チャネル状態情報レポートにおける同じ参照信号リソースセットまたは同じ参照信号構成に参照信号を含む第２のタイプのパケットの数または最大数、
チャネル状態情報レポートにおける第３のタイプのパケットの数または最大数、または、チャネル状態情報レポートにおける同じ参照信号リソースセットまたは同じ参照信号構成に参照信号を含む第３のタイプのパケットの数または最大数、
復調参照信号ポート群の数または最大数、または合同伝送モードにおける復調参照信号ポート群の数または最大数、
物理ダウンリンク制御チャネルの制御リソースセットの組み合わせの数または最大数、または、
直接通信のリソース群の数
のうちの少なくとも１つを備えている、請求項９に記載の方法。
【請求項１１】
前記処理されることは、受信されること、監視されること、または測定されることのうちの１つを含む、請求項１０に記載の方法。
【請求項１２】
前記第１のタイプのパケットの特性は、
前記第１のタイプのパケット内の参照信号が同時に受信されることができること、または、
異なる第１のタイプのパケットの参照信号が同時に受信されることができないこと、または異なる第１のタイプのパケットの異なる参照信号が同時に受信されることができないこと
のうちの少なくとも１つを含む、請求項４または１０に記載の方法。
【請求項１３】
前記第２のタイプのパケットの特性は、
異なる第２のタイプのパケットの参照信号が同時に受信されることができること、または、
前記第２のタイプのパケット内の参照信号が同時に受信されることができないこと、または前記第２のタイプのパケット内の異なる基準参照信号が同時に受信されることができないこと
のうちの少なくとも１つを含む、請求項４または１０に記載の方法。
【請求項１４】
前記第５のタイプの情報は、
１つの第Ａタイプのパケットの下の第Ｂタイプのパケットの数、または前記第２の通信ノードの１つの第Ａタイプのパケットの下の第Ｂタイプのパケットの数、または、
チャネル状態情報レポートにおける第３のタイプのパケット内の同時に受信される参照信号の数または最大数、またはチャネル状態情報レポートにおける第３のタイプのパケット内の同じ参照信号セットからであるか、または同じ参照信号構成である参照信号の数または最大数
のうちの少なくとも１つを備えている、請求項９に記載の方法。
【請求項１５】
前記第３のタイプのパケットの特性は、
異なる第３のタイプのパケットの参照信号が同時に受信されることができること、
前記第３のタイプのパケット内のＦ個以下の参照信号が同時に受信されることができること、または前記第３のタイプのパケット内のＦ個以下の異なる参照信号が同時に受信されることができること、または、
前記第３のタイプのパケット内のＦ個以下の参照信号が同時に受信されることができないこと、または前記第３のタイプのパケット内のＦ個以下の異なる参照信号が同時に受信されることができないこと
のうちの少なくとも１つを含み、
Ｆは、１以上の正の整数である、請求項４、７、１０、または１４に記載の方法。
【請求項１６】
前記第Ａタイプのパケットは、パネルまたはアンテナアレイのうちの１つを備えている、請求項４、７、１０、または１４に記載の方法。
【請求項１７】
前記第Ａタイプのパケットの特性は、
それぞれの異なる第Ａタイプのパケットに関連付けられた情報要素が同時に送信されることができること、
それぞれの異なる第Ａタイプのパケットに関連付けられた情報要素が同時に受信されることができること、
同じ第Ａタイプのパケットに関連付けられた情報要素が同時に送信されることができないこと、または、異なるチャネル特性仮説を有し、同じ第Ａタイプのパケットに関連付けられた情報要素が同時に送信されることができないこと、または、
同じ第Ａタイプのパケットに関連付けられた情報要素が同時に受信されることができないこと、または、異なるチャネル特性仮説を有し、同じ第Ａタイプのパケットに関連付けられた情報要素が同時に受信されることができないこと
のうちの少なくとも１つを含む、請求項４、７、１０、または１４に記載の方法。
【請求項１８】
前記第Ａタイプのパケットの特性は、
同じ第Ａタイプのパケットに関連付けられたＥ個以下の情報要素が同時に送信されることができること、または、異なるチャネル特性仮説を有し、同じ第Ａタイプのパケットに関連付けられたＥ個以下の情報要素が同時に送信されることができること、
同じ第Ａタイプのパケットに関連付けられたＥ個以下の情報要素が同時に送信されることができないこと、または、異なるチャネル特性仮説を有し、同じ第Ａタイプのパケットに関連付けられたＥ個以下の情報要素が同時に送信されることができないこと、
同じ第Ａタイプのパケットに関連付けられたＥ個以下の情報要素が同時に受信されることができること、または、異なるチャネル特性仮説を有し、同じ第Ａタイプのパケットに関連付けられたＥ個以下の情報要素が同時に受信されることができること、
同じ第Ａタイプのパケットに関連付けられたＥ個以下の情報要素が同時に受信されることができないこと、または、異なるチャネル特性仮説を有し、同じ第Ａタイプのパケットに関連付けられたＥ個以下の情報要素が同時に受信されることができないこと、または、
Ｅ個の第Ｂタイプのパケットが前記第Ａタイプのパケットに含まれること
のうちの少なくとも１つを含み、
Ｅは、１以上の正の整数である、請求項４、７、１０、または１４に記載の方法。
【請求項１９】
前記第Ｂタイプのパケットの特性は、
それぞれの異なる第Ｂタイプのパケットに関連付けられた情報要素が同時に送信されることができること、
それぞれの異なる第Ｂタイプのパケットに関連付けられた情報要素が同時に受信されることができること、
同じ第Ｂタイプのパケットに関連付けられた情報要素が同時に送信されることができないこと、または、異なるチャネル特性仮説を有し、同じ第Ｂタイプのパケットに関連付けられた情報要素が同時に送信されることができないこと、または、
同じ第Ｂタイプのパケットに関連付けられた情報要素が同時に受信されることができないこと、または、異なるチャネル特性仮説を有し、同じ第Ｂタイプのパケットに関連付けられた情報要素が同時に受信されることができないこと
のうちの少なくとも１つを含む、請求項７または１４に記載の方法。
【請求項２０】
前記チャネル特性仮説は、準コロケーション、空間パラメータ、空間準コロケーション、伝送構成指示状態、空間フィルタ情報、アンテナ群情報、または基準参照信号セットのうちの少なくとも１つを備えている、請求項１、４、１０、１７、１８、または１９に記載の方法。
【請求項２１】
前記能力情報、前記パラメータ情報、または前記情報要素のチャネル特性仮説のうちの少なくとも１つに従って、前記情報要素を受信する様式を決定することは、
事前設定された条件が前記能力情報、前記パラメータ情報、または前記情報要素のチャネル特性仮説のうちの少なくとも１つによって満たされる場合、前記第１の通信ノードによって、前記情報要素を受信する様式を決定することを含む、請求項１に記載の方法。
【請求項２２】
前記事前設定された条件は、
情報要素の異なるチャネル特性仮説の数が第１のタイプの閾値を上回ること、または情報要素のチャネル特性仮説の数が第１のタイプの閾値を上回ること、または情報要素の数が第１のタイプの閾値を上回ること、
前記情報要素に関連付けられた第１のタイプのパラメータが第２のタイプの閾値を上回ること、
前記情報要素に関連付けられた第２のタイプのパラメータが第３のタイプの閾値を上回ること、または、
前記情報要素に関連付けられた第３のタイプのパラメータが第４のタイプの閾値を上回ること
のうちの少なくとも１つを含み、
前記能力情報に含まれる第３のタイプの情報は、ダウンリンク情報要素を同時に受信することをサポートすること、マルチ伝送ノード伝送モードをサポートすること、合同伝送モードをサポートすること、複数の復調参照信号ポート群のモードをサポートすること、パケットレポートをサポートすること、直接通信をサポートすること、または複数の物理ダウンリンク制御チャネルの制御リソースセットを組み合わせることをサポートすることのうちの少なくとも１つを含み、
前記第１のタイプの閾値、または前記第２のタイプの閾値、または前記第３のタイプの閾値、または前記第４のタイプの閾値は、前記能力情報または前記パラメータ情報のうちの少なくとも１つに従って決定される、請求項２１に記載の方法。
【請求項２３】
前記第１のタイプの閾値、または前記第２のタイプの閾値、または前記第３のタイプの閾値、または前記第４のタイプの閾値は、１、２、３、４、第１のタイプの情報、第２のタイプの情報、第４のタイプの情報、第５のタイプの情報、第１のタイプの情報と第２のタイプの情報との積、または第４のタイプの情報と第５のタイプの情報との積のうちの少なくとも１つを備えている、請求項２２に記載の方法。
【請求項２４】
前記第１のタイプのパラメータは、情報要素に関連付けられた第１のタイプのパケットの数、または情報要素に関連付けられた異なる第１のタイプのパケットインデックスの数を備えている、請求項２２に記載の方法。
【請求項２５】
前記第２のタイプのパラメータは、
前記第１の通信ノードの同じ第Ａタイプのパケットインデックスの情報要素の数または最大数、
前記第１の通信ノードの同じ第Ａタイプのパケットインデックスのチャネル特性仮説の数または最大数であって、前記同じ第Ａタイプのパケットインデックスは、情報要素に関連付けられている、数または最大数、
前記第１の通信ノードの同じ第Ａタイプのパケットインデックスの異なるチャネル特性仮説の数または最大数であって、前記同じ第Ａタイプのパケットインデックスは、情報要素に関連付けられている、数または最大数、
同じ第２のタイプのパケットインデックスの情報要素の数または最大数、または情報要素に関連付けられた同じ第２のタイプのパケットインデックスのチャネル特性仮説の数または最大数、または情報要素に関連付けられた同じ第２のタイプのパケットインデックスの異なるチャネル特性仮説の数または最大数、または、
同じ第３のタイプのパケットインデックスの情報要素の数または最大数、または情報要素に関連付けられた同じ第３のタイプのパケットインデックスのチャネル特性仮説の数または最大数、または情報要素に関連付けられた同じ第３のタイプのパケットインデックスの異なるチャネル特性仮説の数または最大数
のうちの少なくとも１つを備えている、請求項２２に記載の方法。
【請求項２６】
前記情報要素に関連付けられた前記第３のタイプのパラメータは、
前記第２の通信ノードの同じ第Ａタイプのパケットの情報要素の数または最大数であって、前記同じ第Ａタイプのパケットは、前記情報要素に関連付けられている、数または最大数、
前記第２の通信ノードの同じ第Ａタイプのパケットのチャネル特性仮説の数または最大数であって、前記同じ第Ａタイプのパケットは、情報要素に関連付けられている、数または最大数、または、
前記第２の通信ノードの同じ第Ａタイプのパケットの異なるチャネル特性仮説の数または最大数であって、前記同じ第Ａタイプのパケットは、情報要素に関連付けられている、数または最大数
のうちの少なくとも１つを備えている、請求項２２に記載の方法。
【請求項２７】
前記事前設定された条件は、
情報要素の数が第５のタイプの閾値を上回ること、または情報要素の異なるチャネル特性仮説の数が第５のタイプの閾値を上回ること、または情報要素のチャネル特性仮説の数が第５のタイプの閾値を上回ること、
ダウンリンク情報要素を同時に受信することをサポートしないこと、マルチ伝送ノード伝送モードをサポートしないこと、合同伝送モードをサポートしないこと、複数の復調参照信号ポート群のモードをサポートしないこと、パケットレポートをサポートしないこと、直接通信をサポートしないこと、または複数の物理ダウンリンク制御チャネルの制御リソースセットを組み合わせることをサポートしないことのうちの少なくとも１つを含む第３のタイプの情報、
前記能力情報に含まれる第３のタイプの情報がデフォルトまたはヌルであること、または、
前記能力情報に含まれる第３のタイプの情報が送信されないこと
のうちの少なくとも１つを含み、
前記第５のタイプの閾値は、１、２、３、または４のうちの少なくとも１つを備えている、請求項２１に記載の方法。
【請求項２８】
前記情報要素を受信する様式を決定することは、
低優先順位情報要素のチャネル特性仮説を特定のチャネル特性仮説によって置換すること、または特定のチャネル特性仮説を使用することによって低優先順位情報要素を受信すること、
高優先順位情報要素を受信すること、または低優先順位情報要素を受信しないこと、または、
低優先順位情報要素を除去すること
のうちの少なくとも１つを優先順位基準に従って実施することを含む、請求項２１に記載の方法。
【請求項２９】
前記低優先順位情報要素に関連付けられたパケットインデックスに関連付けられた情報要素の数が第３のタイプの閾値を上回るか、または、前記低優先順位情報要素のチャネル特性仮説に関連付けられたパケットインデックスに関連付けられた前記チャネル特性仮説の数が第３のタイプの閾値を上回るか、または、前記低優先順位情報要素の前記チャネル特性仮説に関連付けられたパケットインデックスに関連付けられた異なるチャネル特性仮説の数が第３のタイプの閾値を上回る、請求項２８に記載の方法。
【請求項３０】
前記低優先順位情報要素に関連付けられたパケットインデックスに関連付けられた情報要素の数が第４のタイプの閾値を上回るか、または、前記低優先順位情報要素のチャネル特性仮説に関連付けられたパケットインデックスに関連付けられた前記チャネル特性仮説の数が第４のタイプの閾値を上回るか、または、前記低優先順位情報要素の前記チャネル特性仮説に関連付けられたパケットインデックスに関連付けられた異なるチャネル特性仮説の数が第４のタイプの閾値を上回る、請求項２８に記載の方法。
【請求項３１】
前記特定のチャネル特性仮説は、
事前構成されたチャネル特性仮説、
第１の事前決定された条件を満たす事前設定されたインデックスに関連付けられたチャネル特性仮説、または一次キャリアのチャネル特性仮説、または、
前記高優先順位情報要素のチャネル特性仮説
のうちの少なくとも１つを備え、
前記第１の事前決定された条件を満たす前記事前設定されたインデックスは、
最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、請求項２８に記載の方法。
【請求項３２】
前記特定のチャネル特性仮説は、
事前構成されたチャネル特性仮説、
前記低優先順位情報要素に関連付けられた第１のタイプのパケットインデックスの事前構成されたチャネル特性仮説、
第２の事前決定された条件を満たす事前設定されたインデックスのうちの第１の事前決定された条件を満たす事前設定されたインデックスに関連付けられたチャネル特性仮説、または、
前記高優先順位情報要素のチャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記第２の事前決定された条件を満たす前記事前設定されたインデックスは、前記低優先順位情報要素に関連付けられた第１のタイプのパケットインデックスに関連付けられた事前設定されたインデックスを備え、
前記事前設定されたインデックスは、キャリアインデックス、帯域幅部分インデックス、制御リソースセットインデックス、または制御チャネルリソースインデックスをのうちの少なくとも１つを備え、Ｎは、１以上の正の整数である、請求項２８に記載の方法。
【請求項３３】
前記特定のチャネル特性仮説は、
事前構成されたチャネル特性仮説、
前記低優先順位情報要素に関連付けられた第Ａタイプのパケットインデックスの事前構成されたチャネル特性仮説、または、
前記低優先順位情報要素に関連付けられた第３のタイプのパケットインデックスまたは第２のタイプのパケットインデックスの事前構成されたチャネル特性仮説
のうちの少なくとも１つを備えている、請求項２８に記載の方法。
【請求項３４】
前記特定のチャネル特性仮説は、
第１の事前決定された条件を満たし、前記低優先順位情報要素に関連付けられた事前設定されたインデックスに関連付けられたチャネル特性仮説、
前記低優先順位情報要素に関連付けられた一次セルまたは一次キャリアのチャネル特性仮説、
第３の事前決定された条件を満たす事前設定されたインデックスのうちの第１の事前決定された条件を満たす事前設定されたインデックスに関連付けられたチャネル特性仮説であって、前記第３の事前決定された条件を満たす前記事前設定されたインデックスは、前記低優先順位情報要素に関連付けられた第Ａタイプのパケットに関連付けられた事前設定されたインデックスを備えている、チャネル特性仮説、
前記低優先順位情報要素に関連付けられた第Ａタイプのパケットに関連付けられた一次キャリアのチャネル特性仮説、
第４の事前決定された条件を満たす事前設定されたインデックスのうちの第１の事前決定された条件を満たす事前設定されたインデックスに関連付けられたチャネル特性仮説であって、前記第４の事前決定された条件を満たす前記事前設定されたインデックスは、前記低優先順位情報要素に関連付けられた第２のタイプのパケットに関連付けられた事前設定されたインデックスを備えている、チャネル特性仮説、または、
第５の事前決定された条件を満たす事前設定されたインデックスのうちの第１の事前決定された条件を満たす事前設定されたインデックスに関連付けられたチャネル特性仮説であって、前記第５の事前決定された条件を満たす前記事前設定されたインデックスは、前記低優先順位情報要素に関連付けられた第３のタイプのパケットに関連付けられた事前設定されたインデックスを備えている、チャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、請求項２８に記載の方法。
【請求項３５】
前記特定のチャネル特性仮説は、
前記高優先順位情報要素のチャネル特性仮説、
第１の特定の高優先順位情報要素のチャネル特性仮説であって、前記第１の特定の高優先順位情報要素に関連付けられた第Ａタイプのパケットインデックスは、前記低優先順位情報要素に関連付けられた第Ａタイプのパケットインデックスと同じである、第１の特定の高優先順位情報要素のチャネル特性仮説、
第２の特定の高優先順位情報要素のチャネル特性仮説であって、前記第２の特定の高優先順位情報要素に関連付けられた第２のタイプのパケットインデックスは、前記低優先順位情報要素に関連付けられた第２のタイプのパケットインデックスと同じである、第２の特定の高優先順位情報要素のチャネル特性仮説、または、
第３の特定の高優先順位情報要素のチャネル特性仮説であって、前記第３の特定の高優先順位情報要素に関連付けられた第３のタイプのパケットインデックスは、前記低優先順位情報要素に関連付けられた第３のタイプのパケットインデックスと同じである、第３の特定の高優先順位情報要素のチャネル特性仮説
のうちの少なくとも１つを備えている、請求項２８に記載の方法。
【請求項３６】
前記特定のチャネル特性仮説は、
事前構成されたチャネル特性仮説、
前記低優先順位情報要素に関連付けられた第Ａタイプのパケットの事前構成されたチャネル特性仮説、
第１の事前決定された条件を満たす事前設定されたインデックスに関連付けられたチャネル特性仮説、または一次キャリアまたは一次セルのチャネル特性仮説、
第３の事前決定された条件を満たす事前設定されたインデックスのうちの第１の事前決定された条件を満たす事前設定されたインデックスに関連付けられたチャネル特性仮説であって、前記第３の事前決定された条件を満たす前記事前設定されたインデックスは、前記低優先順位情報要素に関連付けられた第Ａタイプのパケットに関連付けられた事前設定されたインデックスを備えている、チャネル特性仮説、
前記低優先順位情報要素に関連付けられた第Ａタイプのパケットに関連付けられた一次キャリアのチャネル特性仮説、
前記高優先順位情報要素のチャネル特性仮説、または、
第１の特定の高優先順位情報要素のチャネル特性仮説であって、前記第１の特定の高優先順位情報要素に関連付けられた第Ａタイプのパケットインデックスは、前記低優先順位情報要素に関連付けられた第Ａタイプのパケットインデックスと同じである、第１の特定の高優先順位情報要素のチャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、請求項２８に記載の方法。
【請求項３７】
前記優先順位基準に従って、以下のうちの少なくとも１つを実施した後、前記方法は、前記低優先順位情報要素のチャネル特性仮説を前記特定のチャネル特性仮説によって置換すること、または前記特定のチャネル特性仮説を使用することによって、前記低優先順位情報要素を受信すること、前記高優先順位情報要素を受信すること、または前記低優先順位情報要素を受信しないこと、または前記低優先順位情報要素を除去することをさらに含み、
前記受信された情報要素は、
受信された情報要素の異なるチャネル特性仮説の数が第１のタイプの閾値を上回らないこと、または受信された情報要素のチャネル特性仮説の数が第１のタイプの閾値を上回らないこと、または情報要素の数が第１のタイプの閾値を上回らないこと、
前記受信された情報要素に関連付けられた第１のタイプのパラメータが第２のタイプの閾値を上回らないこと、
前記受信された情報要素に関連付けられた第２のタイプのパラメータが第３のタイプの閾値を上回らないこと、または、
前記受信された情報要素に関連付けられた第３のタイプのパラメータが第４のタイプの閾値を上回らないこと
の条件うちの少なくとも１つを満たす、請求項２８に記載の方法。
【請求項３８】
前記優先順位基準は、
第１の特定のデータチャネルの優先順位が制御チャネルの優先順位より高いこと、
第１の特定のデータチャネルの優先順位がダウンリンク参照信号の優先順位より高いこと、
制御チャネルの優先順位が第２の特定のデータチャネルの優先順位より高いこと、
ダウンリンク参照信号の優先順位が第２の特定のデータチャネルの優先順位より高いこと、
制御チャネルの優先順位がダウンリンク参照信号の優先順位より高いこと、または、
スロット集合内のデータチャネルの優先順位が制御チャネルの優先順位より高いこと、またはマルチスロットモードにおけるデータチャネルの優先順位が制御チャネルの優先順位より高いこと
のうちの少なくとも１つを含み、
前記第１の特定のデータチャネルは、第１の特定の閾値以上のスケジューリングオフセットを有するデータチャネルを備え、前記第２の特定のデータチャネルは、前記第１の特定の閾値未満のスケジューリングオフセットを有するデータチャネルを備えている、請求項２８に記載の方法。
【請求項３９】
前記優先順位基準は、制御チャネルの優先順位がデータチャネルの優先順位より高いことを含む、請求項２８に記載の方法。
【請求項４０】
前記優先順位基準は、
非周期的参照信号の優先順位が周期的参照信号の優先順位より高いこと、または第１の特定の非周期的参照信号の優先順位が周期的参照信号の優先順位より高いこと、
非周期的参照信号の優先順位が半連続参照信号の優先順位より高いこと、または第１の特定の非周期的参照信号の優先順位が半連続参照信号の優先順位より高いこと、または、
半連続参照信号の優先順位が周期的参照信号の優先順位より高いこと
のうちの少なくとも１つを含み、
前記第１の特定の非周期的参照信号は、第２の特定の閾値以上のスケジューリングオフセットを有する非周期的参照信号を備えている、請求項２８に記載の方法。
【請求項４１】
前記優先順位基準は、
第１の特定の非周期的参照信号の優先順位が第２の特定の非周期的参照信号の優先順位より高いこと、
周期的参照信号の優先順位が第２の特定の非周期的参照信号のスケジューリングの優先順位より高いこと、または、
半連続参照信号の優先順位が第２の特定の非周期的参照信号の優先順位より高いこと
のうちの少なくとも１つを含み、
前記第１の特定の非周期的参照信号は、第２の特定の閾値以上のスケジューリングオフセットを有する非周期的参照信号を備え、前記第２の特定の非周期的参照信号は、前記第２の特定の閾値未満のスケジューリングオフセットを有する非周期的参照信号を備えている、請求項２８に記載の方法。
【請求項４２】
前記優先順位基準は、
参照信号インデックスによって優先順位を決定すること、
制御リソースセットインデックスによって優先順位を決定すること、
制御リソースセットの組み合わせインデックスによって優先順位を決定すること、
シーケンス番号または無線ネットワークによって一時的に示されるタイプによって優先順位を決定すること、
帯域幅部分インデックス、キャリアインデックス、またはセルインデックスによって優先順位を決定すること、または、
チャネル品質またはチャネル状態情報レポートにおける参照信号の報告シーケンスによって優先順位を決定すること
のうちの少なくとも１つを含む、請求項２８に記載の方法。
【請求項４３】
前記優先順位基準は、
第３の特定のデータチャネルの優先順位が第４の特定のデータチャネルの優先順位より高いこと、
第５の特定のデータチャネルの優先順位が第６の特定のデータチャネルの優先順位より高いこと、
一次セルまたは一次キャリア内の制御チャネルの優先順位が二次セルまたは二次キャリア内の制御チャネルの優先順位より高いこと、または一次セルまたは一次キャリア内の参照信号の優先順位が二次セルまたは二次キャリア内の参照信号の優先順位より高いこと、または、
二次セルまたは二次キャリア内の第４の特定のデータチャネルまたは制御チャネルまたは参照信号の優先順位が第５の特定のデータチャネルの優先順位より高いこと
のうちの少なくとも１つを含み、
前記第３の特定のデータチャネルは、前記一次セルまたは前記一次キャリア内の第１の特定のデータチャネルを備え、前記第４の特定のデータチャネルは、前記二次セルまたは前記二次キャリア内の第１の特定のデータチャネルを備え、前記第５の特定のデータチャネルは、前記一次セルまたは前記一次キャリア内の第２の特定のデータチャネルを備え、前記第６の特定のデータチャネルは、前記二次セルまたは前記二次キャリア内の第２の特定のデータチャネルを備え、前記第１の特定のデータチャネルは、第１の特定の閾値以上のスケジューリングオフセットを有するデータチャネルを備え、前記第２の特定のデータチャネルは、前記第１の特定の閾値未満のスケジューリングオフセットを有するデータチャネルを備えている、請求項２８に記載の方法。
【請求項４４】
情報要素を伝送する方法であって、前記方法は、
第２の通信ノードによって、第１の通信ノードによって送信された能力情報を受信すること、前記第２の通信ノードによって、情報要素のパラメータ情報を前記第１の通信ノードに送信すること、または、前記第２の通信ノードによって、前記情報要素のチャネル特性仮説を前記第１の通信ノードに送信することのうちの少なくとも１つを前記第２の通信ノードによって実施することと、
前記第２の通信ノードによって、前記情報要素を送信することと
を含み、
前記情報要素は、参照信号、データチャネル、または制御チャネルのうちの少なくとも１つを備えている、方法。
【請求項４５】
前記能力情報は、第１のタイプの情報、第２のタイプの情報、または第３のタイプの情報のうちの少なくとも１つを備えている、請求項４４に記載の方法。
【請求項４６】
前記パラメータ情報は、第４のタイプの情報または第５のタイプの情報のうちの少なくとも１つを備えている、請求項４４に記載の方法。
【請求項４７】
第１の通信ノードにおいて構成された通信ノードであって、前記通信ノードは、
通信モジュールであって、前記通信モジュールは、能力情報を第２の通信ノードに送信すること、第２の通信ノードによって構成された情報要素のパラメータ情報を受信すること、または、第２の通信ノードによって構成された前記情報要素のチャネル特性仮説を受信することのうちの少なくとも１つを実施するように構成されている、通信モジュールと、
決定モジュールであって、前記決定モジュールは、前記能力情報、前記パラメータ情報、または前記情報要素のチャネル特性仮説のうちの少なくとも１つに従って、前記情報要素を受信する様式を決定するように構成されている、決定モジュールと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、通信ノード。
【請求項４８】
第２の通信ノードにおいて構成された通信ノードであって、前記通信ノードは、
通信モジュールであって、前記通信モジュールは、第１の通信ノードによって送信された能力情報を受信すること、情報要素のパラメータ情報を前記第１の通信ノードに送信すること、または、前記情報要素のチャネル特性仮説を前記第１の通信ノードに送信することのうちの少なくとも１つを実施するように構成されている、通信モジュールと、
前記情報要素を送信するように構成された送信モジュールと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、通信ノード。
【請求項４９】
プロセッサと、コンピュータ読み取り可能な記憶媒体とを備えている通信ノードであって、前記コンピュータ読み取り可能な記憶媒体は、命令を記憶しており、前記命令は、前記プロセッサによって実行されると、請求項１−４６のいずれか１項に記載の方法を実装する、通信ノード。
【請求項５０】
コンピュータプログラムを記憶するように構成されたコンピュータ読み取り可能な記憶媒体であって、前記コンピュータプログラムは、前記プロセッサによって実行されると、請求項１−４６のいずれか１項に記載の方法を実装する、コンピュータ読み取り可能な記憶媒体。
【請求項５１】
情報要素を伝送するためのシステムであって、前記システムは、
第１の通信ノードであって、前記第１の通信ノードは、能力情報を第２の通信ノードに送信すること、第２の通信ノードによって構成された情報要素のパラメータ情報を受信すること、または、第２の通信ノードによって構成された前記情報要素のチャネル特性仮説を受信することのうちの少なくとも１つを実施することと、前記能力情報、前記パラメータ情報、または前記情報要素のチャネル特性仮説のうちの少なくとも１つに従って、前記情報要素を受信する様式を決定することとを行うように構成されている、第１の通信ノードと、
第２の通信ノードであって、前記第２の通信ノードは、第１の通信ノードによって送信された能力情報を受信すること、前記情報要素のパラメータ情報を前記第１の通信ノードに送信すること、または、前記情報要素のチャネル特性仮説を前記第１の通信ノードに送信することのうちの少なくとも１つを実施することと、前記情報要素を送信することとを行うように構成されている、第２の通信ノードと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、システム。
【発明の詳細な説明】
【技術分野】
【０００１】
本願は、その開示が参照することによってその全体として本明細書に組み込まれる２０１８年７月１８日に出願された中国特許出願第２０１８１０７９２８０２．９号の優先権を主張する。
（技術分野）
【０００２】
本開示の実施形態は、限定ではないが、通信の分野に関し、特に、情報要素を伝送する方法、通信ノード、システム、および記憶媒体に関する。
【背景技術】
【０００３】
超広帯域幅を伴う高周波数帯域通信（すなわち、ミリメートル波通信）が、将来、モバイル通信の重要な開発傾向になり、全世界の学術研究および産業の注目を集めている。ミリメートル波通信の利点は、現在、ますます混雑したスペクトルリソースおよびモノのインターネットへの膨大な数のアクセスの条件下で、ますます魅力的になっている。対応する規格化努力が、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）および３ｒｄ  Ｇｅｎｅｒａｔｉｏｎ  Ｐａｒｔｎｅｒｓｈｉｐ  Ｐｒｏｊｅｃｔ（３ＧＰＰ）等の多くの規格団体で開始されている。例えば、３ＧＰＰ規格群において、高周波数帯域通信は、大型の広帯域幅のその大きな利点を伴って第５世代新規無線アクセス技術（新規ＲＡＴ）の重要な革新になるであろう。
【０００４】
現在、複数のアンテナパネルが、基地局内に存在し得、各アンテナパネルは、複数のビームを発生させ得、類似する事例が、ユーザ機器（ＵＥ）に関して存在する。関連５Ｇ通信システムにおいて、同じ量において、アナログビームが衝突しないと仮定される。しかしながら、ＵＥおよび集中アンテナパネルの増加により、異なるチャネル特性仮説を伴うチャネルおよび参照信号が、異なるアンテナパネルの下で同時に送信され得、それは、チャネルまたは参照信号に衝突させる。現在、マルチアンテナパネルのチャネルまたは参照信号のチャネル特性仮説が衝突するとき、チャネルまたは参照信号を受信することの問題を解決するための効果的な方法が存在しない。
【発明の概要】
【発明が解決しようとする課題】
【０００５】
本開示の実施形態は、情報要素を伝送する方法、通信ノード、システム、および記憶媒体を提供し、それらは、マルチアンテナパネルの情報要素の受信融通性を改良し、それによって、システム性能を改良し得る。
【課題を解決するための手段】
【０００６】
本開示の実施形態は、情報要素を伝送する方法を提供する。方法は、下で説明されるステップを含む。
【０００７】
第１の通信ノードは、以下のうちの少なくとも１つを実施する：第１の通信ノードは、能力情報を第２の通信ノードに送信する；第１の通信ノードは、第２の通信ノードによって構成された情報要素のパラメータ情報を受信する；または、第１の通信ノードは、第２の通信ノードによって構成された情報要素のチャネル特性仮説を受信する。
【０００８】
第１の通信ノードは、能力情報、パラメータ情報、または情報要素のチャネル特性仮説の少なくとも１つに従って、情報要素を受信する様式を決定する。
【０００９】
情報要素は、Ｑ１個の参照信号、Ｑ２個のデータチャネル、またはＱ３個の制御チャネルのうちの少なくとも１つを含む。
【００１０】
Ｑ１、Ｑ２、およびＱ３は、１以上の整数である。
【００１１】
本開示の実施形態は、情報要素を伝送する方法をさらに提供する。方法は、下で説明されるステップを含む。
【００１２】
第２の通信ノードは、以下のうちの少なくとも１つを実施する：第２の通信ノードは、第１の通信ノードによって送信される能力情報を受信する；第２の通信ノードは、情報要素のパラメータ情報を第１の通信ノードに送信する；、または、第２の通信ノードは、情報要素のチャネル特性仮説を第１の通信ノードに送信する。
【００１３】
第２の通信ノードは、情報要素を送信する。
【００１４】
情報要素は、参照信号、データチャネル、または制御チャネルのうちの少なくとも１つを含む。
【００１５】
本開示の実施形態は、通信ノードをさらに提供する。通信ノードは、通信モジュールと、決定モジュールとを含む。
【００１６】
通信モジュールは、以下のうちの少なくとも１つを実施するように構成される：能力情報を第２の通信ノードに送信すること；第２の通信ノードによって構成された情報要素のパラメータ情報を受信すること；または、第２の通信ノードによって構成された情報要素のチャネル特性仮説を受信すること。
【００１７】
決定モジュールは、能力情報、パラメータ情報、または情報要素のチャネル特性仮説の少なくとも１つに従って、情報要素を受信する様式を決定するように構成される。
【００１８】
情報要素は、Ｑ１個の参照信号、Ｑ２個のデータチャネル、またはＱ３個の制御チャネルのうちの少なくとも１つを含む。
【００１９】
Ｑ１、Ｑ２、およびＱ３は、１以上の整数である。
【００２０】
本開示の実施形態は、通信ノードをさらに提供する。通信ノードは、通信モジュールと、送信モジュールとを含む。
【００２１】
通信モジュールは、以下のうちの少なくとも１つを実施するように構成される：第１の通信ノードによって送信された能力情報を受信すること；情報要素のパラメータ情報を第１の通信ノードに送信すること；または、情報要素のチャネル特性仮説を第１の通信ノードに送信すること。
【００２２】
送信モジュールは、情報要素を送信するように構成される。
【００２３】
情報要素は、Ｑ１個の参照信号、Ｑ２個のデータチャネル、またはＱ３個の制御チャネルのうちの少なくとも１つを含む。
【００２４】
Ｑ１、Ｑ２、およびＱ３は、１以上の整数である。
【００２５】
本開示の実施形態は、プロセッサと、コンピュータ読み取り可能な記憶媒体とを含む通信ノードをさらに提供し、コンピュータ読み取り可能な記憶媒体は、命令を記憶し、命令は、プロセッサによって実行されると、上で説明される情報要素を伝送する方法のうちのいずれか１つを実装する。
【００２６】
本開示の実施形態は、コンピュータ読み取り可能な記憶媒体をさらに提供する。コンピュータ読み取り可能な記憶媒体は、コンピュータプログラムを記憶し、コンピュータプログラムは、プロセッサによって実行されると、上で説明されるに情報要素を伝送する方法のうちのいずれか１つのことを実装する。
【００２７】
本開示の実施形態は、情報要素を伝送するためのシステムをさらに提供する。システムは、第１の通信ノードと、第２の通信ノードとを含む。
【００２８】
第１の通信ノードは、能力情報を第２の通信ノードに送信すること、第２の通信ノードによって構成された情報要素のパラメータ情報を受信すること、または第２の通信ノードによって構成された情報要素のチャネル特性仮説を受信することのうちの少なくとも１つを実施し、能力情報、パラメータ情報、または情報要素のチャネル特性仮説のうちの少なくとも１つに従って、情報要素を受信する様式を決定するように構成される。
【００２９】
第２の通信ノードは、第１の通信ノードによって送信された能力情報を受信すること、情報要素のパラメータ情報を第１の通信ノードに送信すること、または情報要素のチャネル特性仮説を第１の通信ノードに送信することのうちの少なくとも１つを実施することと、情報要素を送信することとを行うように構成される。
【００３０】
情報要素は、Ｑ１個の参照信号、Ｑ２個のデータチャネル、またはＱ３個の制御チャネルのうちの少なくとも１つを含む。
【００３１】
Ｑ１、Ｑ２、およびＱ３は、１以上の整数である。
【００３２】
本開示の実施形態において、第１の通信ノードは、第１の通信ノードが能力情報を第２の通信ノードに送信すること、第１の通信ノードが第２の通信ノードによって構成された情報要素のパラメータ情報を受信すること、または、第１の通信ノードが第２の通信ノードによって構成された情報要素のチャネル特性仮説を受信することのうちの少なくとも１つを実施し、第１の通信ノードは、能力情報、パラメータ情報、または情報要素のチャネル特性仮説のうちの少なくとも１つに従って、情報要素を受信する様式を決定する。情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。本開示の実施形態において、情報要素を受信する様式は、マルチアンテナパネルの情報要素の受信融通性を改良し、アンテナパネルのリソース利用効率を改良し、それによって、システム性能を改良するように、能力情報、パラメータ情報、または情報要素のチャネル特性仮説のうちの少なくとも１つに従って決定される。
【図面の簡単な説明】
【００３３】
【図１】図１は、本開示のある実施形態による、ハイブリッドプリコーディング（ハイブリッドアナログおよびデジタルビーム形成）送受信機の構造図である。
【００３４】
【図２】図２は、本開示のある実施形態による、情報要素を伝送する方法のフローチャートである。
【００３５】
【図３】図３は、本開示のある実施形態による、実施例１における物理ダウンリンク共有チャネル（ＰＤＳＣＨ）のチャネル特性仮説の間で生じる衝突の概略図である。
【００３６】
【図４】図４は、本開示のある実施形態による、実施例１におけるＰＤＳＣＨのチャネル特性仮説の間で生じる衝突がない概略図である。
【００３７】
【図５】図５は、本開示のある実施形態による、実施例２におけるＰＤＳＣＨのチャネル特性仮説と物理ダウンリンク制御チャネル（ＰＤＣＣＨ）のチャネル特性仮説との間で生じる衝突の概略図である。
【００３８】
【図６】図６は、本開示のある実施形態による、実施例３におけるＰＤＳＣＨのチャネル特性仮説とＰＤＣＣＨのチャネル特性仮説との間で生じる衝突の概略図である。
【００３９】
【図７】図７は、本開示のある実施形態の実施例４において、基地局端における伝送ポイント（ＴＲＰ）／パネルの数を考慮する場合のＰＤＳＣＨのチャネル特性仮説とＰＤＣＣＨのチャネル特性仮説との間の衝突の概略図である。
【００４０】
【図８】図８は、本開示のある実施形態による、実施例５におけるクロスコンポーネントキャリア（ＣＣ）下のチャネル特性仮説の間で生じる衝突がない概略図である。
【００４１】
【図９】図９は、本開示のある実施形態による、実施例６におけるクロスＣＣ下のチャネル特性仮説の間で生じる衝突の概略図である。
【００４２】
【図１０】図１０は、本開示の別の実施形態による、情報要素を伝送する方法のフローチャートである。
【００４３】
【図１１】図１１は、本開示の別の実施形態による、通信ノードの構造構成の概略図である。
【００４４】
【図１２】図１２は、本開示の別の実施形態による、通信ノードの構造構成の概略図である。
【００４５】
【図１３】図１３は、本開示の別の実施形態による、情報要素を伝送するためのシステムの構造構成の概略図である。
【発明を実施するための形態】
【００４６】
本開示の実施形態が、図面と併せて下で詳細に説明されるであろう。不一致が生じない場合、本開示内の実施形態およびその中の特徴は、任意の方法で互いに組み合わせられ得ることに留意されたい。
【００４７】
図の中のフローチャートに図示されるステップは、例えば、コンピュータ実行可能命令の群を含むコンピュータシステムにおいて実行され得る。さらに、論理シーケンスがフローチャートに図示されるが、図示または説明されるステプは、ある場合、本明細書に説明されるそれと異なるシーケンスで実施され得る。
【００４８】
図１は、本開示のある実施形態による、ハイブリッドプリコーディング（ハイブリッドアナログおよびデジタルビーム形成）送受信機の構造図である。図１に示されるように、伝送端および受信端が、それぞれ、複数のアンテナアレイユニット（すなわち、アンテナパネルまたはアンテナユニット）を伴って構成され、各アンテナパネルは、複数の伝送・受信アンテナを含み、複数の無線周波数リンク（すなわち、伝送・受信ユニット（ＴＸＲＵ））と相互接続され（部分接続のシナリオを除外しない）、デジタルキーイング位相シフタが、アンテナパネルとＴＸＲＵとの間に提供される。
【００４９】
高周波数帯域システムが、アンテナパネルの信号上に異なる位相シフトをロードすることによって、アナログ端のビーム形成を実装する。具体的に、伝送端において、複数の無線周波数信号ストリームが、無線周波数リンク内に存在し、各無線周波数信号ストリームは、デジタルキーイング位相シフタを介してアンテナ重みベクトル（ＡＷＶ）をロードされ、ＡＷＶをロードされた後の無線周波数信号は、重み付けされ、コンバイナによって単一の無線周波数信号ストリームに組み合わせられ、単一の無線周波数信号ストリームは、マルチアンテナパネルから高周波数帯域物理伝搬チャネルに送信される。受信端において、マルチアンテナパネルによって受信される無線周波数信号ストリームが、分離された信号を取得するために、セパレータを通して分離され、分離された信号は、新しい信号を取得するために、デジタルキーイング位相シフタを通して受信端のＡＷＶで乗算され、取得された新しい信号は、重み付けされ、コンバイナを通して単一の無線周波数信号ストリームに組み合わせられる。受信端における無線周波数復調後、受信機が、最終的に、複数の受信された無線周波数信号ストリームを取得し、それらは、デジタルベースバンドによってサンプリングおよび受信される。したがって、ハイブリッドプリコーディング（ハイブリッドアナログおよびデジタルビーム形成）送受信機は、複数の方向に無線周波数ビームを同時に発生させ得る。
【００５０】
同時に、伝送端および受信端は、空間分割多重をより良好にサポートし、ハードウェアの実装の複雑性を低減させるための複数のアンテナパネルを含み得る。したがって、各アンテナパネル下で、有効ビームの数は、実際にサポートされ得る伝送ビームの最大数と非対称であり、すなわち、各瞬間に送信され得るビームの数、すなわち、ＴＸＲＵの数は、随意のビームの数をはるかに下回る。
【００５１】
図２を参照すると、本開示の実施形態は、情報要素を伝送する方法を提供し、方法は、下で説明されるステップを含む。
【００５２】
ステップ２００において、第１の通信ノードが、以下のうちの少なくとも１つを実施する：第１の通信ノードが、能力情報を第２の通信ノードに送信する；第１の通信ノードが、第２の通信ノードによって構成された情報要素のパラメータ情報を受信する；または、第１の通信ノードが、第２の通信ノードによって構成された情報要素のチャネル特性仮説を受信する。
【００５３】
本開示のある実施形態において、能力情報は、以下のうちの少なくとも１つを含む：第１のタイプの情報Ｒ１、第２のタイプの情報Ｒ２、または第３のタイプの情報。
【００５４】
パラメータ情報は、以下のうちの少なくとも１つを含む：第４のタイプの情報Ｔ１、または第５のタイプの情報Ｔ２。
【００５５】
第１のタイプの情報、第２のタイプの情報、第３のタイプの情報、第４のタイプの情報、および第５のタイプの情報は、それぞれ、下で説明される。
【００５６】
本開示の実施形態において、参照信号リソースは、参照信号に関連付けられた時間ドメインリソース、周波数ドメインリソース、およびコードドメインリソースの総和を指す。
【００５７】
チャネルは、以下のうちの少なくとも１つ含む：データチャネル、または制御チャネル。
【００５８】
（１）第１のタイプの情報Ｒ１は、以下のうちの少なくとも１つを含む：第Ａタイプのパケットの数；第１の通信ノードの第Ａタイプのパケットの数、すなわち、第１の通信ノード内の第Ａタイプのパケットの数；チャネル状態情報レポートにおける第１のタイプのパケット内の参照信号の数または最大数；チャネル状態情報レポートにおける第２のタイプのパケット内の参照信号の数または最大数；チャネル状態情報レポートにおける第３のタイプのパケット内の参照信号の数または最大数；同時に送信されるアップリンク参照信号リソースまたはアップリンクチャネルのうちの少なくとも１つの数または最大数；同時に受信されるダウンリンク参照信号リソースまたはダウンリンクチャネルのうちの少なくとも１つの数または最大数；同時に受信されるダウンリンク参照信号リソースまたはダウンリンクチャネルのチャネル特性仮説のうちの少なくとも１つの数または最大数；同時に受信されるダウンリンク参照信号リソースまたはダウンリンクチャネルの異なるチャネル特性仮説のうちの少なくとも１つの数または最大数、または異なるチャネル特性仮説を有し、同時に受信されるダウンリンク情報要素の数または最大数；参照信号リソースまたは参照信号リソースセットによって構成され得るチャネル特性仮説の数または最大数；参照信号リソースセット、ビーム管理のための参照信号リソースセット、参照信号受信電力（ＲＳＲＰ）レポートのための参照信号リソース、参照信号受信品質（ＲＳＲＱ）レポートのための参照信号リソース、信号対干渉および雑音比（ＳＩＮＲ）レポートのための参照信号リソースセット、または反復シグナリングを伴って構成される参照信号リソースセットのうちの少なくとも１つの数または最大数；復調参照信号（ＤＭＲＳ）ポート群の数または最大数、または合同伝送モードにおける復調参照信号ポート群の数または最大数；または、ＰＤＣＣＨの制御リソースセット（ＣＯＲＥＳＥＴ）の組み合わせの数または最大数。
【００５９】
アップリンク参照信号は、以下のうちの少なくとも１つを含む：質測定用参照信号（ＳＲＳ）、位相追跡参照信号（ＰＴ−ＲＳ）、またはＤＭＲＳ。
【００６０】
ダウンリンク参照信号は、以下のうちの少なくとも１つを含む：チャネル状態情報参照信号（ＣＳＩ−ＲＳ）、ダウンリンク位相追跡参照信号、同期化信号ブロック（ＳＳＢ）、同期化信号／物理ブロードキャストチャネル（ＳＳ／ＰＢＣＨ）、ダウンリンク復調参照信号、または追跡のためのＣＳＩ−ＲＳ。
【００６１】
特に、第１のタイプの情報は、第１の通信ノードのパネルの数、またはアンテナ群の数、または同時に受信または送信され得る情報要素の数を表す。
【００６２】
（２）第２のタイプの情報Ｒ２は、以下のうちの少なくとも１つを含む：１つの第Ａタイプのパケットの下の第Ｂタイプのパケットの数；第１の通信ノードの１つの第Ａタイプのパケットの下の第Ｂタイプのパケットの数；または、チャネル状態情報レポートにおける１つの第３のタイプのパケット内で同時に受信される参照信号の数または最大数。
【００６３】
特に、第２のタイプの情報は、第１の通信ノードの各パネルの下のサブパネルの数、またはアンテナ群の下のサブアンテナ群の数、または１つのアンテナパネルの下で同時に受信または送信され得る情報要素の数を表す。例えば、１つのアンテナパネルは、２つのサブパネルを含み、したがって、１つのアンテナパネルは、２つの異なる情報要素を受信し得る。
【００６４】
（３）３つのタイプの情報は、以下のうちの少なくとも１つを含む：ダウンリンク情報要素を同時に受信することの能力情報（特定の値が、同時にダウンリク情報要素を受信することをサポートするそれ、または、ダウンリンク情報要素を同時に受信することをサポートしないそれであり得る；マルチ伝送ノード伝送モードをサポートすることの能力情報（特定の値が、マルチ伝送ノード伝送モードをサポートするそれ、または、マルチ伝送ノード伝送モードをサポートしないそれであり得る）；または、合同伝送モードをサポートすることの能力情報（特定の値が、合同伝送モードをサポートするそれ、または、合同伝送モードをサポートしないそれであり得る）：または、直接通信の能力情報（特定の値が、直接通信をサポートするそれ、または、直接通信をサポートしないそれであり得る）；複数の復調参照信号ポート群のモードの能力情報（特定の値が、複数の復調参照信号ポート群のモードをサポートするそれ、または、複数の復調参照信号ポート群のモードをサポートしないそれであり得る）；物理ダウンリンク制御チャネルの制御リソースセットの複数の組み合わせの能力情報（特定の値が、物理ダウンリンク制御チャネルの制御リソースセットの複数の組み合わせをサポートするそれ、または、物理ダウンリンク制御チャネルの制御リソースセットの複数の組み合わせをサポートしないそれであり得る）；または、パケットレポートの能力情報（特定の値が、パケットレポートをサポートするそれ、または、パケットレポートをサポートしないそれであり得る）。
【００６５】
特に、第３のタイプの情報は、第１の通信ノードが同時に情報要素を受信することの能力情報をサポートし得るかどうかを表すか、または、同時に情報要素を受信する能力が暗示的形態でサポートされるかどうかを表す。さらに、第１の通信ノードが、第３のタイプの情報を送信し、「サポート」を表す場合、アンテナ群の数は、２である等のデフォルトであるように表され得、そうでなければ、アンテナ群の数がデフォルトで１であることが表される。
【００６６】
（４）第４のタイプの情報Ｔ１は、以下のうちの少なくとも１つを含む：第Ａタイプのパケットの数；第２の通信ノードの第Ａタイプのパケットの数；同時に送信されるダウンリンク情報要素のチャネル特性仮説の数または最大数、または、同時に送信されるダウンリンク情報要素の異なるチャネル特性仮説の数または最大数；同時に送信されるダウンリンク情報要素の数または最大数、または、異なるチャネル特性仮説を有し、同時に送信されるダウンリンク情報要素の数または最大数；同時に処理されるダウンリンク情報要素の数または最大数；同時に処理されるダウンリンク情報要素に関連付けられたチャネル特性仮説の数または最大数；同時に処理されるダウンリンク情報要素の異なるチャネル特性仮説の数または最大数；異なるチャネル特性仮説を有し、同時に処理されるダウンリンク情報要素の数または最大数；チャネル状態情報レポートにおける第１のタイプのパケット内の参照信号の数または最大数、または、チャネル状態情報レポートにおける第１のタイプのパケット内の同じ参照信号リソースセットからであるか、または、同じ参照信号構成である参照信号の数または最大数；チャネル状態情報レポートにおける第２のタイプのパケット内の参照信号の数または最大数、またはチャネル状態情報レポートにおける同じ参照信号リソースセットまたは同じ参照信号構成に参照信号を含む第２のタイプのパケットの数または最大数；チャネル状態情報レポートにおける第３のタイプのパケットの数または最大数、またはチャネル状態情報レポートにおける同じ参照信号リソースセットまたは同じ参照信号構成に参照信号を含む第３のタイプのパケットの数または最大数；復調参照信号ポート群の数または最大数、または、合同伝送モードにおける復調参照信号ポート群の数または最大数；ＰＤＣＣＨの制御リソースセットの組み合わせの数または最大数；または、直接通信のリソース群の数。
【００６７】
上記の処理されることは、受信されること、監視されること、または測定されることのうちの１つを含む。
【００６８】
特に、第４のタイプの情報は、第２の通信ノードのアンテナパネルの数、または第２の通信ノードのアンテナ群の数、または第２の通信ノードの能力および第１の通信ノードの能力に従って、後続の伝送で同時に受信される必要がある第１の通信ノードに構成される情報要素の数を表す。
【００６９】
（５）第５のタイプの情報Ｔ２は、以下のうちの少なくとも１つを含む：１つの第Ａタイプのパケットの下の第Ｂタイプのパケットの数、または第２の通信ノードの１つの第Ａタイプのパケットの下の第Ｂタイプのパケットの数；または、チャネル状態情報レポートにおける第３のタイプのパケット内の同時に受信される参照信号の数または最大数、または、チャネル状態情報レポートにおける第３のタイプのパケット内の同じ参照信号セットからであるか、または、同じ参照信号構成である参照信号の数または最大数。
【００７０】
第１のタイプのパケットの特性は、以下のうちの少なくとも１つを含む：パケットの参照信号が同時に受信され得ること；または、パケットの参照信号が同時に受信されないこともあること、またはパケットの異なる参照信号が同時に受信されないこともあること。
【００７１】
第２のタイプのパケットの特性は、以下のうちの少なくとも１つを含む：パケットの参照信号が同時に受信され得ること；または、パケット内の参照信号が同時に受信されないこともあること、またはパケット内の異なる参照信号が同時に受信されないこともあること。
【００７２】
第３のタイプのパケットの特性は、以下のうちの少なくとも１つを含む（Ｆは、１以上の正の整数である）：パケットの参照信号が同時に受信され得ること；パケット内のＦ個以下の参照信号が同時に受信され得ること、または、パケット内のＦ個以下の異なる参照信号が同時に受信され得ること；または、パケット内のＦ個以下の参照信号が同時に受信されないこともあること、または、パケット内のＦ個以下の異なる参照信号が同時に受信されないこともあること。
【００７３】
第Ａタイプのパケットは、パネルまたはアンテナアレイのうちの１つを含む。さらに、パネルは、アンテナパネルとも称され得る。
【００７４】
第Ａタイプのパケットの特性は、以下のうちの少なくとも１つを含む（Ｅは、１以上の正の整数である）：それぞれの異なるパケットに関連付けられた情報要素が、同時に送信され得ること；それぞれの異なるパケットに関連付けられた情報要素が、同時に受信され得ること；同じパケットに関連付けられた情報要素が、同時に送信されないこともあること、または、異なるチャネル特性仮説を有し、同じパケットに関連付けられた情報要素が、同時に送信されないこともあること；同じパケットに関連付けられた情報要素が、同時に受信されないこともあること、または、異なるチャネル特性仮説を有し、同じパケットに関連付けられた情報要素が、同時に受信されないこともあること；同じパケットに関連付けられたＥ個以下の情報要素が、同時に送信され得ること、または、異なるチャネル特性仮説を有し、同じパケットに関連付けられたＥ個以下の情報要素が、同時に送信され得ること；同じパケットに関連付けられたＥ個以下の情報要素が、同時に送信されないこともあること、または、異なるチャネル特性仮説を有し、同じパケットに関連付けられたＥ個以下の情報要素が、同時に送信されないこともあること；同じパケットに関連付けられたＥ個以下の情報要素が、同時に受信され得ること、または、異なるチャネル特性仮説を有し、同じパケットに関連付けられたＥ個以下の情報要素が、同時に受信され得ること；同じパケットに関連付けられたＥ個より多い情報要素が、同時に受信されないこともあること、または、異なるチャネル特性仮説を有し、同じパケットに関連付けられたＥ個より多い情報要素が、同時に受信されないこともあること；または、Ｅ個の第Ｂタイプのパケットが、第Ａタイプのパケットに含まれること。
【００７５】
第Ｂタイプのパケットの特性は、以下のうちの少なくとも１つを含む：それぞれの異なるパケットに関連付けられた情報要素が、同時に送信され得ること；それぞれの異なるパケットに関連付けられた情報要素が、同時に受信され得ること；同じパケットに関連付けられた情報要素が、同時に送信されないこともあること、また異なるチャネル特性仮説を有し、同じパケットに関連付けられた情報要素が、同時に送信されないこともあること；または、同じパケットに関連付けられた情報要素が、同時に受信されないこともあること、または、異なるチャネル特性仮説を有し、同じパケットに関連付けられた情報要素が、同時に受信されないこともあること。
【００７６】
特に、第５のタイプの情報は、第２の通信ノードの各パネルの下のサブパネルの数またはアンテナ群の下のサブアンテナ群の数を表すか、または、第１の通信ノードの各パネルの下のサブパネルの数、またはアンテナ群の下のサブアンテナ群の数が複数のビームをサポートするデータ伝送のために使用され得ることを決定する。
【００７７】
本開示のある実施形態において、チャネル特性仮説は、以下のうちの少なくとも１つを含む：準コロケーション（ＱＣＬ）、空間パラメータ、空間ＱＣＬ、伝送構成指示（ＴＣＩ）状態、空間フィルタ情報、アンテナ群情報、または基準ＲＳセット。
【００７８】
準コロケーションは、少なくとも１つの基準参照信号（ＲＳ）および少なくとも１つの基準ＲＳに関連付けられた準コロケーションパラメータから成り、準コロケーションパラメータは、ドップラ拡散、ドップラシフト、遅延拡張、平均遅延、平均利得、または空間パラメータのうちの少なくとも１つを含む。空間パラメータは、到来角、受信ビームの空間相関、平均遅延、および時間・周波数チャネル応答の相関（位相情報を含む）等の空間受信パラメータを含み得る。
【００７９】
代替として、準コロケーションは、少なくとも１つの基準ＲＳセットから成り、各基準ＲＳセットは、少なくとも１つの基準ＲＳと、少なくとも１つの基準ＲＳに関連付けられた準コロケーションパラメータとを含む。
【００８０】
空間フィルタ情報は、第２の通信ノード（基地局等）が第１の通信ノード（ＵＥ等）が実装することを予期する空間フィルタ構成情報であり得るか、または、第２の通信ノードの空間フィルタ構成情報であり得る。
【００８１】
本開示の実施形態において、チャネル特性仮説が異なることは、空間パラメータの差異のみが考慮され、すなわち、２つのＲＳがＴＣＩに含まれる場合、空間パラメータに関連付けられたＲＳが同じであるかどうかのみが、チャネル特性仮説が同じであるかどうかを決定するための基準と見なされることを意味し得る。すなわち、チャネル特性仮説が同じであるかどうかは、同じ空間パラメータに関連付けられたＲＳが同じであるかどうかに従って決定される。同じ空間パラメータに関連付けられたＲＳが同じであるとき、チャネル特性仮説が同じであることが決定され、同じ空間パラメータに関連付けられたＲＳが異なるとき、チャネル特性仮説が異なることが決定される。
【００８２】
本開示の実施形態において、ビームは、リソース（例えば、伝送端空間フィルタ、受信端空間フィルタ、伝送端プリコーディング、受信端プリコーディング、アンテナポート、アンテナ重みベクトル、およびアンテナ重みマトリクス）であり得る。ビームが、伝送のためのいくつかの時間・周波数コードリソースに束縛され得るので、ビームシーケンス番号は、リソースインデックス（例えば、参照信号リソースインデックス）と置換され得る。
【００８３】
ビームは、伝送（送信または受信）様式でもあり得る。伝送様式は、空間分割多重化、周波数ドメイン多様性、時間ドメイン多様性等を含み得る。
【００８４】
参照信号の数は、参照信号リソースの数、参照信号リソースインデックスの数、またはビームの数のうちの１つであり得る。
【００８５】
ステップ２０１において、第１の通信ノードは、以下のうちの少なくとも１つに従って、情報要素を受信する様式を決定する：能力情報、パラメータ情報、または情報要素のチャネル特性仮説。情報要素は、Ｑ１個の参照信号、Ｑ２個のデータチャネル、またはＱ３個制御チャネルのうちの少なくとも１つを含み、Ｑ１、Ｑ２、およびＱ３は、１以上の整数である。
【００８６】
本開示のある実施形態において、情報要素の特性は、以下のうちの少なくとも１つを含む：同時に伝送されること；同時に第２の通信ノードによって送信されること；同時に第１の通信ノードによって受信されること；または、同じ時間単位に関連付けられていること、または、関連付けられた時間単位が、部分的または完全に重複すること。時間単位は、直交周波数分割多重化（ＯＦＤＭ）シンボル、サブＯＦＤＭシンボル、またはスロットのうちの少なくとも１つを含む。
【００８７】
本開示のある実施形態において、情報要素を受信する様式は、事前設定された条件が以下のうちの少なくとも１つによって満たされた場合、決定される：能力情報、パラメータ情報、または情報要素の構成されたチャネル特性仮説。
【００８８】
事前設定された条件が、能力情報、パラメータ情報、または情報要素の構成されたチャネル特性仮説のうちの少なくとも１つによって満たされる場合、それは、情報要素のチャネル特性仮説が衝突し、情報要素を受信する様式が再決定される必要があることを示す。
【００８９】
事前設定された条件は、以下のうちの少なくとも１つを含む：情報要素の異なるチャネル特性仮説の数が第１のタイプの閾値を上回ること、すなわち、情報要素のために構成される異なるチャネル特性仮説の数が第１のタイプの閾値を上回ること；または、情報要素のチャネル特性仮説の数が第１のタイプの閾値を上回ること、または、情報要素の数が第１のタイプの閾値を上回ること；情報要素に関連付けられた第１のタイプのパラメータが第２のタイプの閾値を上回ること；情報要素に関連付けられた第２のタイプのパラメータが第３のタイプの閾値を上回ること；または、情報要素に関連付けられた第３のタイプのパラメータが第４のタイプの閾値を上回ること。
【００９０】
第３のタイプの情報は、以下のうちの少なくとも１つを含む：ダウンリンク情報要素を同時に受信することをサポートすること、マルチ伝送ノード伝送モードをサポートすること、合同伝送モードをサポートすること、複数の復調参照信号ポート群のモードをサポートすること、パケットレポートをサポートすること、直接通信をサポートすること、または、複数の物理ダウンリンク制御チャネルの制御リソースセットを組み合わせることをサポートすること。
【００９１】
第１のタイプの閾値、または第２のタイプの閾値、または第３のタイプの閾値、または第４のタイプの閾値は、能力情報またはパラメータ情報のうちの少なくとも１つに従って決定される。
【００９２】
第１のタイプの閾値、または第２のタイプの閾値、または第３のタイプの閾値、または第４のタイプの閾値は、以下のうちの少なくとも１つを含む：１、２、３、４、第１のタイプの情報、第２のタイプの情報、第４のタイプの情報、第５のタイプの情報、第１のタイプの情報と第２のタイプの情報との積、または、第４のタイプの情報と第５のタイプの情報との積。
【００９３】
代替として、事前設定された条件は、以下のうちの少なくとも１つ：情報要素の数が第５のタイプの閾値を上回ること、または、情報要素の異なるチャネル特性仮説の数が第５のタイプの閾値を上回ること、または、情報要素のチャネル特性仮説の数が第５のタイプの閾値を上回ること；第３のタイプの情報が、ダウンリンク情報要素を同時に受信することをサポートしないこと、マルチ伝送ノード伝送モードをサポートしないこと、合同伝送モードをサポートしないこと、複数の復調参照信号ポート群のモードをサポートしないこと、パケットレポートをサポートしないこと、直接通信をサポートしないこと、または、複数の物理ダウンリンク制御チャネルの制御リソースセットを組み合わせることをサポートしないことのうちの少なくとも１つを含むこと；第３のタイプの情報がデフォルトまたはヌルであること、すなわち、第３のタイプの情報を表すために使用されるフィールドがいずれの情報も含まないこと；第３のタイプの情報が送信されないことを含み、第５のタイプの閾値は、１、２、３、または４のうちの少なくとも１つを含む。
【００９４】
例えば、第１の通信ノードの視点から、第１の通信ノードによってサポートされる複数のアンテナパネルまたは複数の計器パネルの能力情報は、第２の通信ノードに送信され、衝突の決定基準は、ＵＥあたりのアンテナ群（ＵＡＧ）に基づく必要があり、すなわち、同じＵＡＧおよび異なる伝送ビーム（Ｔｘビーム）が呼び出されるとき、衝突が定義され、異なるＵＡＧおよび同じまたは異なるＴｘビームが呼び出されるとき、衝突が定義されない。
【００９５】
ＵＡＧは、同じ特性を有するアンテナパネルのクラスを指す。
【００９６】
受信端の視点から、ＵＡＧは、以下として定義される：１つのＵＡＧにおいて、１つのみのダウンリンク参照信号（ＤＬ  ＲＳ）またはＰ個以下の異なるＤＬ  ＲＳが、同時に受信され得る；異なるＵＡＧにおいて、複数の異なるＤＬ  ＲＳが、同時に受信され得る。
【００９７】
伝送端の視点から、ＵＡＧは、以下として定義される：１つのＵＡＧにおいて、１つのみのＤＬ  ＲＳまたはＰ個以下の異なるＤＬ  ＲＳが、同時に送信され得る；異なるＵＡＧにおいて、複数の異なるＤＬ  ＲＳが、送信に受信され得る。Ｐは、１以上の整数である。基本能力単位として、１つのＵＥが、複数のＵＡＧに分割され得る。
【００９８】
情報要素を受信する様式を決定するステップは、優先順位基準に従って、以下のうちの少なくとも１つを実施することを含む：低優先順位情報要素のチャネル特性仮説を特定のチャネル特性仮説によって置換すること、または、特定のチャネル特性仮説を使用することによって低優先順位情報要素を受信すること；高優先順位情報要素を受信すること、または、低優先順位情報要素を受信しないこと；または、低優先順位情報要素を除去すること。
【００９９】
具体的実装プロセスにおいて、３つ以上の情報要素が事前設定された条件を満たす場合、それは、ループ反復の様式を使用することによって実装され得：情報要素が事前設定された条件を満たすことが決定されるとき、最低優先順位情報要素を受信する様式が決定され；情報要素が事前設定された条件を満たすかどうかを決定することが継続し、情報要素が事前設定された条件を満たすことが決定されるとき、第２の最低優先順位情報要素を受信する様式が決定され；情報要素が事前設定された条件を満たすかどうかを決定することが継続し、情報要素が事前設定された条件を満たすことが決定されるとき、第３の最低優先順位情報要素を受信する様式が決定される；等、情報要素が事前設定された条件を満たさなくなるまで継続する。
【０１００】
情報要素が事前設定された条件を満たす上記４つの事例は、それぞれ、下で説明される。
【０１０１】
（１）情報要素の異なるチャネル特性仮説の数Ｘは、第１のタイプの閾値を上回る。
【０１０２】
例えば、第２の通信ノードは、同じＯＦＤＭシンボルを使用し、複数の情報要素を送信するが、情報要素は、異なるチャネル特性仮説を有する。
【０１０３】
この場合、特定のチャネル特性仮説は、以下のうちの少なくとも１つを含む：事前構成されたチャネル特性仮説；第１の事前決定された条件を満たす事前設定されたインデックスに関連付けられたチャネル特性仮説；または、一次キャリアのチャネル特性仮説；または、高優先順位情報要素のチャネル特性仮説。実際の実装において、第１に、最高優先順位情報要素のチャネル特性仮説が、置換のために使用され、次いで、第２の最高優先順位情報要素のチャネル特性仮説が、置換のために使用される等。
【０１０４】
第１の事前決定された条件を満たす事前設定されたインデックスは、以下のうちの１つを含む：最低のＮ個の事前設定されたインデックス、最高のＮ個の事前設定されたインデックス、または、特定のＮ個の事前設定されたインデックス。
【０１０５】
事前設定されたインデックスは、以下のうちの少なくとも１つを含む（Ｎは、１以上の正の整数である）：キャリアインデックス、帯域幅部分（ＢＷＰ）インデックス、制御リソースセットインデックス、または、制御チャネルリソースインデックス。
【０１０６】
（２）情報要素に関連付けられた第１のタイプのパラメータＹ１は、第２のタイプの閾値を上回る。
【０１０７】
この場合、第１のタイプのパラメータは、情報要素に関連付けられた第１のタイプのパケットの数、または、情報要素に関連付けられた異なる第１のタイプのパケットインデックスの数を含む。
【０１０８】
この場合、特定のチャネル特性仮説は、以下のうちの少なくとも１つを含む：事前構成されたチャネル特性仮説；低優先順位情報要素に関連付けられた第１のタイプのパケットインデックスの事前構成されたチャネル特性仮説；第２の事前決定された条件を満たす事前設定されたインデックスのうちの第１の事前決定された条件を満たす事前設定されたインデックスに関連付けられたチャネル特性仮説；または、高優先順位情報要素のチャネル特性仮説。
【０１０９】
第１の事前決定された条件を満たす事前設定されたインデックスは、以下のうちの１つを含む：最低のＮ個の事前設定されたインデックス、最高のＮ個の事前設定されたインデックス、または特定のＮ個の事前設定されたインデックス。
【０１１０】
第２の事前決定された条件を満たす事前設定されたインデックスは、低優先順位情報要素に関連付けられた第１のタイプのパケットインデックスに関連付けられた事前設定されたインデックスを含む。
【０１１１】
事前設定されたインデックスは、以下のうちの少なくとも１つを含む（Ｎは、１以上の正の整数である）：キャリアインデックス、帯域幅部分インデックス、制御リソースセットインデックス、または制御チャネルリソースインデックス。
【０１１２】
（３）情報要素に関連付けられた第２のタイプのパラメータＹ２は、第３のタイプの閾値を上回る。
【０１１３】
この場合、第２のタイプのパラメータは、以下のうちの少なくとも１つを含む：第１の通信ノードの同じ第Ａタイプのパケットインデックスの情報要素の数または最大数；第１の通信ノードの同じ第Ａタイプのパケットインデックスのチャネル特性仮説の数または最大数であり、同じ第Ａタイプのパケットインデックスは、情報要素に関連付けられている；第１の通信ノードの同じ第Ａタイプのパケットインデックスの異なるチャネル特性仮説の数または最大数であり、同じ第Ａタイプのパケットインデックスは、情報要素に関連付けられている；同じ第２のタイプのパケットインデックスの情報要素の数または最大数、または、情報要素に関連付けられた同じ第２のタイプのパケットインデックスのチャネル特性仮説の数または最大数、または、情報要素に関連付けられた同じ第２のタイプのパケットインデックスの異なるチャネル特性仮説の数または最大数；または、同じ第３のタイプのパケットインデックスの情報要素の数または最大数、または、情報要素に関連付けられた同じ第３のタイプのパケットインデックスのチャネル特性仮説の数または最大数、または、情報要素に関連付けられた同じ第３のタイプのパケットインデックスの異なるチャネル特性仮説の数または最大数。
【０１１４】
この場合、特定のチャネル特性仮説は、以下のうちの１つであり得る。
【０１１５】
（１）特定のチャネル特性仮説は、以下のうちの少なくとも１つを含む：事前構成されたチャネル特性仮説；低優先順位情報要素に関連付けられた第Ａタイプのパケットインデックスの事前構成されたチャネル特性仮説；または、低優先順位情報要素に関連付けられた第３のタイプのパケットインデックスまたは第２のタイプのパケットインデックスの事前構成されたチャネル特性仮説。
【０１１６】
（２）特定のチャネル特性仮説は、以下のうちの少なくとも１つを含む：第１の事前決定された条件を満たし、低優先順位情報要素に関連付けられた事前設定されたインデックスに関連付けられたチャネル特性仮説；低優先順位情報要素に関連付けられた一次セルまたは一次キャリアのチャネル特性仮説；第３の事前決定された条件を満たす事前設定されたインデックスのうちの第１の事前決定された条件を満たす事前設定されたインデックスに関連付けられたチャネル特性仮説であり、第３の事前決定された条件を満たす事前設定されたインデックスは、低優先順位情報要素に関連付けられた第Ａタイプのパケットに関連付けられた事前設定されたインデックスを含む；低優先順位情報要素に関連付けられた第Ａタイプのパケットに関連付けられた一次キャリアのチャネル特性仮説；第４の事前決定された条件を満たす事前設定されたインデックスのうちの第１の事前決定された条件を満たす事前設定されたインデックスに関連付けられたチャネル特性仮説であり、第４の事前決定された条件を満たす事前設定されたインデックスは、低優先順位情報要素に関連付けられた第２のタイプのパケットに関連付けられた事前設定されたインデックスを含む；または、第５の事前決定された条件を満たす事前設定されたインデックスのうちの第１の事前決定された条件を満たす事前設定されたインデックスに関連付けられたチャネル特性仮説であり、第５の事前決定された条件を満たす事前設定されたインデックスは、低優先順位情報要素に関連付けられた第３のタイプのパケットに関連付けられた事前設定されたインデックスを含む。
【０１１７】
第１の事前決定された条件を満たす事前設定されたインデックスは、以下のうちの１つを含む：最低のＮ個の事前設定されたインデックス、最高のＮ個の事前設定されたインデックス、または、特定のＮ個の事前設定されたインデックス。
【０１１８】
事前設定されたインデックスは、以下のうちの少なくとも１つを含む（Ｎは、１以上の正の整数である）：キャリアインデックス、帯域幅部分インデックス、制御リソースセットインデックス、または制御チャネルリソースインデックス。
【０１１９】
（３）特定のチャネル特性仮説は、以下のうちの少なくとも１つを含む：高優先順位情報要素のチャネル特性仮説；第１の特定の高優先順位情報要素のチャネル特性仮説であり、第１の特定の高優先順位情報要素に関連付けられた第Ａタイプのパケットインデックスは、低優先順位情報要素に関連付けられた第Ａタイプのパケットインデックスと同じである；第２の特定の高優先順位情報要素のチャネル特性仮説であり、第２の特定の高優先順位情報要素に関連付けられた第２のタイプのパケットインデックスは、低優先順位情報要素に関連付けられた第２のタイプのパケットインデックスと同じである；、または、第３の特定の高優先順位情報要素のチャネル特性仮説であり、第３の特定の高優先順位情報要素に関連付けられた第３のタイプのパケットインデックスは、低優先順位情報要素に関連付けられた第３のタイプのパケットインデックスと同じである。
【０１２０】
低優先順位情報要素に関連付けられたパケットインデックスＴに関連付けられた情報要素の数は、第３のタイプの閾値を上回る；または、低優先順位情報要素のチャネル特性仮説に関連付けられたパケットインデックスＴに関連付けられたチャネル特性仮説の数は、第３のタイプの閾値を上回る；または、低優先順位情報要素のチャネル特性仮説に関連付けられたパケットインデックスＴに関連付けられた異なるチャネル特性の数は、第３のタイプの閾値を上回る。
【０１２１】
パケットインデックスＴは、以下のうちの少なくとも１つであり得る：第Ａタイプのパケットインデックス、第２のタイプのパケットインデックス、または、第３のタイプのパケットインデックス。
【０１２２】
（４）情報要素に関連付けられた第３のタイプのパラメータＺは、第４のタイプの閾値を上回る。
【０１２３】
この場合、情報要素に関連付けられた第３のタイプのパラメータＺは、以下のうちの少なくとも１つ含む：第２の通信ノードの同じ第Ａタイプのパケットの情報要素の数または最大数であり、同じ第Ａタイプのパケットは、情報要素に関連付けられている；第２の通信ノードの同じ第Ａタイプのパケットのチャネル特性仮説の数または最大数であり、同じ第Ａタイプのパケットは、情報要素に関連付けられている；または、第２の通信ノードの同じ第Ａタイプのパケットの異なるチャネル特性仮説の数または最大数であり、同じ第Ａタイプのパケットは、情報要素に関連付けられている。
【０１２４】
この場合、特定のチャネル特性仮説は、以下のうちの少なくとも１つ含む：
事前構成されたチャネル特性仮説；
低優先順位情報要素に関連付けられた第Ａタイプのパケットの事前構成されたチャネル特性仮説；
第１の事前決定された条件を満たす事前設定されたインデックスに関連付けられたチャネル特性仮説、または、一次キャリアまたは一次セルのチャネル特性仮説；第３の事前決定された条件を満たす事前設定されたインデックスのうちの第１の事前決定された条件を満たす事前設定されたインデックスに関連付けられたチャネル特性仮説であり、第３の事前決定された条件を満たす事前設定されたインデックスは、低優先順位情報要素に関連付けられた第Ａタイプのパケットに関連付けられた事前設定されたインデックスを含む；低優先順位情報要素に関連付けられた第Ａタイプのパケットに関連付けられた一次キャリアのチャネル特性仮説；高優先順位情報要素のチャネル特性仮説；または、第１の特定の高優先順位情報要素のチャネル特性仮説であり、第１の特定の高優先順位情報要素に関連付けられた第Ａタイプのパケットインデックスは、低優先順位情報要素に関連付けられた第Ａタイプのパケットインデックスと同じである。
【０１２５】
第１の事前決定された条件を満たす事前設定されたインデックスは、以下のうちの１つを含む：最低のＮ個の事前設定されたインデックス、最高のＮ個の事前設定されたインデックス、または、特定のＮ個の事前設定されたインデックス。
【０１２６】
事前設定されたインデックスは、以下のうちの少なくとも１つを含む（Ｎは、１以上の正の整数である）：キャリアインデックス、帯域幅部分インデックス、制御リソースセットインデックス、または制御チャネルリソースインデックス。
【０１２７】
低優先順位情報要素に関連付けられたパケットインデックスＲに関連付けられた情報要素の数は、第４のタイプの閾値を上回る；または、低優先順位情報要素のチャネル特性仮説に関連付けられたパケットインデックスＲに関連付けられたチャネル特性仮説の数は、第４のタイプの閾値を上回る；または、低優先順位情報要素のチャネル特性仮説に関連付けられたパケットインデックスＲに関連付けられた異なるチャネル特性の数は、第４のタイプの閾値を上回り、パケットインデックスＲは、第Ａタイプのパケットインデックスであり得る。
【０１２８】
上記の４つの事例における特定のチャネル特性仮説は、互いに組み合わせられ得、それらは、上で述べられる事例に限定されず、具体的な組み合わせの様式は、本開示の実施形態の範囲を限定することを意図しておらず、それらの詳細は、ここで繰り返されない。
【０１２９】
本開示のある実施形態において、優先順位基準に従って、以下のうちの少なくとも１つが実施される：低優先順位情報要素のチャネル特性仮説を特定のチャネル特性仮説によって置換すること、または、特定のチャネル特性仮説を使用することによって低優先順位情報要素を受信すること；高優先順位情報要素を受信すること、または、低優先順位情報要素を受信しないこと；または、低優先順位情報要素を除去すること。
【０１３０】
受信された情報要素は、以下の条件のうちの少なくとも１つを満たす：受信された情報要素の異なるチャネル特性仮説の数が第１のタイプの閾値を上回らないこと、または、受信された情報要素のチャネル特性仮説の数が第１のタイプの閾値を上回らないこと、または、情報要素の数が第１のタイプの閾値を上回らないこと；受信された情報要素に関連付けられた第１のタイプのパラメータが第２のタイプの閾値を上回らないこと；受信された情報要素に関連付けられた第２のタイプのパラメータが第３のタイプの閾値を上回らないこと；または、受信された情報要素に関連付けられた第３のタイプのパラメータが第４のタイプの閾値を上回らないこと。
本開示のある実施形態において、優先順位基準は、以下のうちの１つであり得る。
【０１３１】
（１）優先順位基準は、以下のうちの少なくとも１つを含む：第１の特定のデータチャネルの優先順位が制御チャネルの優先順位より高いこと；第１の特定のデータチャネルの優先順位がダウンリンク参照信号の優先順位より高いこと；制御チャネルの優先順位が第２の特定のデータチャネルの優先順位より高いこと；ダウンリンク参照信号の優先順位が第２の特定のデータチャネルの優先順位より高いこと；制御チャネルの優先順位がダウンリンク参照信号の優先順位より高いこと；または、スロット集合内のデータチャネルの優先順位が制御チャネルの優先順位より高いこと、または、マルチスロットモードにおけるデータチャネルの優先順位が制御チャネルの優先順位より高いこと。
【０１３２】
第１の特定のデータチャネルは、第１の特定の閾値以上のスケジューリングオフセットを有するデータチャネルを含み、第２の特定のデータチャネルは、第１の特定の閾値未満のスケジューリングオフセットを有するデータチャネルを含む。
【０１３３】
（２）優先順位基準は、制御チャネルの優先順位がデータチャネルの優先順位より高いことを含む。
【０１３４】
（３）優先順位基準は、以下のうちの少なくとも１つを含む：非周期的参照信号の優先順位が周期的参照信号の優先順位より高いこと、または、第１の特定の非周期的参照信号の優先順位が周期的参照信号の優先順位より高いこと；非周期的参照信号の優先順位が半連続参照信号の優先順位より高いこと、または、第１の特定の非周期的参照信号の優先順位が半連続参照信号の優先順位より高いこと；または、半連続参照信号の優先順位が周期的参照信号の優先順位より高いこと。
【０１３５】
第１の特定の非周期的参照信号は、第２の特定の閾値以上のスケジューリングオフセットを有する非周期的参照信号を含む。
【０１３６】
（４）優先順位基準は、以下のうちの少なくとも１つを含む：第１の特定の非周期的参照信号の優先順位が第２の特定の非周期的参照信号の優先順位より高いこと；周期的参照信号の優先順位が第２の特定の非周期的参照信号のスケジューリングの優先順位より高いこと；または、半連続参照信号の優先順位が第２の特定の非周期的参照信号の優先順位より高いこと。
【０１３７】
第１の特定の非周期的参照信号は、第２の特定の閾値以上のスケジューリングオフセットを有する非周期的参照信号を含み、第２の特定の非周期的参照信号は、第２の特定の閾値未満のスケジューリングオフセットを有する非周期的参照信号を含む。
【０１３８】
（５）優先順位基準は、以下のうちの少なくとも１つを含む：参照信号インデックスによって優先順位を決定すること；制御リソースセットインデックスによって優先順位を決定すること；制御リソースセットの組み合わせインデックスによって優先順位を決定すること；シーケンス番号または無線ネットワーク一時識別子（ＲＮＴＩ）のタイプによって優先順位を決定すること；帯域幅部分インデックス、キャリアインデックス、またはセルインデックスによって優先順位を決定すること；または、チャネル品質またはチャネル状態情報レポートにおける参照信号の報告シーケンスによって優先順位を決定すること。具体的に、報告順序が高くなるほど、またはチャネル品質が良くなるほど、優先順位が高くなる；または、報告順序が低くなるほど、またはチャネル品質が悪くなるほど、優先順位が高くなる。さらに、インデックスによって決定される優先順位は、インデックスシーケンス番号が低くなるほど、優先順位が高くなるとして、または、インデックスシーケンス番号が高くなるほど、優先順位が高くなるとして表される。
【０１３９】
（６）優先順位基準は、以下のうちの少なくとも１つを含む：第３の特定のデータチャネルの優先順位が第４の特定のデータチャネルの優先順位より高いこと；第５の特定のデータチャネルの優先順位が第６の特定のデータチャネルの優先順位より高いこと；一次セルまたは一次キャリア内の制御チャネルの優先順位が二次セルまたは二次キャリア内の制御チャネルの優先順位より高いこと、または、一次セルまたは一次キャリア内の参照信号の優先順位が二次セルまたは二次キャリア内の参照信号の優先順位より高いこと；または、第４の特定のデータチャネル、または制御チャネル、または二次セルまたは二次キャリア内の参照信号の優先順位が第５の特定のデータチャネルの優先順位より高いこと。
【０１４０】
第３の特定のデータチャネルは、一次セルまたは一次キャリア内の第１の特定のデータチャネルを含み、第４の特定のデータチャネルは、二次セルまたは二次キャリア内の第１の特定のデータチャネルを含み、第５の特定のデータチャネルは、一次セルまたは一次キャリア内の第２の特定のデータチャネルを含み、第６の特定のデータチャネルは、二次セルまたは二次キャリア内の第２の特定のデータチャネルを含み、第１の特定のデータチャネルは、第１の特定の閾値以上のスケジューリングオフセットを有するデータチャネルを含み、第２の特定のデータチャネルは、第１の特定の閾値未満のスケジューリングオフセットを有するデータチャネルを含む。
【０１４１】
上記の実施形態に説明される情報要素を伝送する方法は、具体的実施例を用いて下で説明され、実施例は、本開示の実施形態の範囲を限定することを意図していない。
（実施例１）
【０１４２】
ＵＥ端が群ベースの報告をサポートすると仮定され、すなわち、群ベースの報告がＣＳＩ報告において実施されると仮定される。ＣＳＩ報告において、群ベースの報告は、報告されたＲＳ  ＩＤに基づいて実施され、最大２つの参照信号が同時にＵＥによって受信され得る。ＵＥによってサポートされるマルチアンテナパネルの能力情報および基地局によってサポートされるマルチアンテナパネルの能力情報に基づいて、基地局は、ＵＥへのＴ１情報：ＵＥが同時に受信する必要があるダウンリンク情報要素の異なるチャネル特性仮説の数Ｔ１＝２を構成する。
【０１４３】
図３は、本開示のある実施形態による、実施例１におけるＰＤＳＣＨのチャネル特性仮説間で生じる衝突の概略図である。図３に示されるように、ＵＥは、スロット集合ＰＤＳＣＨ等のマルチスロットＰＤＳＣＨを受信し、ＰＤＳＣＨに関連付けられる空間パラメータの下のＤＬ  ＲＳは、ビームｃ−２およびビームｃ−５とも呼ばれる｛ｃ−２，ｃ−５｝である。
【０１４４】
ＣＯＲＥＳＥＴ−２は、１つのｉ−ＰＤＳＣＨをスケジュールし、ｉ−ＰＤＳＣＨは、ＰＤＳＣＨのスケジューリングオフセットが閾値ｋ未満であることを表す。すなわち、ＵＥ端が、ｉ−ＰＤＳＣＨを受信すると、ＵＥ端は、１つのｉ−ＰＤＳＣＨが存在することを認識せず、すなわち、ＵＥ端は、仮定ビームを使用することによって、受信のみを実施し得る。基準によると、ｉ−ＰＤＳＣＨは、ＣＯＲＥＳＥＴ−３のチャネル特性仮説に従う必要があり、すなわち、ビームは、ｃ−６である。
【０１４５】
Ｔ１＝２の仮定によると、ｉ−ＰＤＳＣＨの異なる空間パラメータおよびＰＤＳＣＨのマルチスロットの数は、Ｔ１を上回る３であり、マルチスロットＰＤＳＣＨのチャネル特性仮説とｉ−ＰＤＳＣＨのチャネル特性仮説とは、衝突し、それによって、低優先順位ｉ−ＰＤＳＣＨのチャネル特性仮説は、特定のチャネル特性仮説によって置換され、すなわち、高優先順位マルチスロットＰＤＳＣＨのチャネル特性仮説によって置換される。従って、ｉ−ＰＤＳＣＨのチャネル特性仮説は、｛ｃ−２，ｃ−５｝として書き換えられる。
【０１４６】
図４は、本開示のある実施形態による、実施例１におけるＰＤＳＣＨのチャネル特性仮説間で生じる衝突がない概略図である。図４に示されるように、ＵＥは、マルチＰＤＳＣＨを受信し、マルチＰＤＳＣＨに関連付けられる空間パラメータの下のＤＬ  ＲＳが、｛ｃ−２｝である一方で、ＣＯＲＥＳＥＴ−２は、１つのｉ−ＰＤＳＣＨをスケジュールし、ｉ−ＰＤＳＣＨのデフォルトビーム、すなわち、ｉ−ＰＤＳＣＨに関連付けられる空間パラメータの下のＤＬ  ＲＳは、｛ｃ−６，ｃ−２｝である。
【０１４７】
全体として、マルチスロットＰＤＳＣＨおよびｉ−ＰＤＳＣＨに関連付けられるビームは、Ｔ１＝２以下である｛ｃ−６，ｃ−２｝である。マルチスロットＰＤＳＣＨのチャネル特性仮説とｉ−ＰＤＳＣＨのチャネル特性仮説とは、衝突しない。基準によると、マルチスロットＰＤＳＣＨおよびｉ−ＰＤＳＣＨの重複部分において、合同空間パラメータ｛ｃ−６，ｃ−２｝に従って、受信を実施する必要がある；または、ＵＥ端は、マルチスロットＰＤＳＣＨ＝｛ｃ−２｝およびｉ−ＰＤＳＣＨ＝｛ｃ−６，ｃ−２｝に従って、マルチスロットＰＤＳＣＨおよびｉ−ＰＤＳＣＨの受信ビームを決定し得、すなわち、マルチスロットＰＤＳＣＨ＝｛ｃ−２｝およびｉ−ＰＤＳＣＨ＝｛ｃ−６，ｃ−２｝の両方が、有効である。
（実施例２）
【０１４８】
ＵＥが、ＵＥによってサポートされるマルチアンテナパネルまたはマルチパネルの能力情報を報告するとき、ＵＥの第Ａタイプのパケットの数Ｒ１は、２であり、すなわち、Ｒ１＝２であり、第Ａタイプのパケットの特性は、異なるパケットに関連付けられた情報要素が、同時に受信され得、異なるチャネル特性仮説を有し、同じパケットに関連付けられた情報要素が、同時に受信されないこともあることである。したがって、ＵＥに関して、２つのＵＡＧインデックスが、形成され、それぞれ、ＵＡＧ−ａおよびＵＡＧ−ｂと呼ばれる。
【０１４９】
図５は、本開示のある実施形態による、実施例２におけるＰＤＳＣＨのチャネル特性仮説とＰＤＣＣＨのチャネル特性仮説との間で生じる衝突の概略図である。図５に示されるように、制御チャネルＰＤＣＣＨに関して、ＣＯＲＥＳＥＴ−２の空間パラメータの下のＤＬ  ＲＳが、｛［ｃ−１，ＵＡＧ−ａ］｝として構成され、ＣＯＲＥＳＥＴ−３の空間パラメータの下のＤＬ  ＲＳが、｛［ｃ−６，ＵＡＧ−ｂ］｝として構成される。マルチスロットＰＤＳＣＨは、２つのスロットを含み、空間パラメータの下のＤＬ  ＲＳは、それぞれ、｛［ｃ−２，ＵＡＧ−ａ］，［ｃ−５，ＵＡＧ−ｂ］｝であり、さらに、マルチスロットＰＤＳＣＨの優先順位は、ＰＤＣＣＨの優先順位より高い。
【０１５０】
基準１：低優先順位チャネルの空間パラメータが、低優先順位チャネルと同じＵＡＧインデックスを伴う高優先順位チャネルの空間パラメータとして置換される必要がある。したがって、ＣＯＲＥＳＥＴ−２に関して、衝突がＵＡＧ−ａに生じるので、ＣＯＲＥＳＥＴ−２の下の空間パラメータのみが、同じ関連付けられるＵＡＧの下の空間パラメータ情報に取って代わる。すなわち、ＵＥの視点から、ＣＯＲＥＳＥＴ−２の空間パラメータは、｛［ｃ−２，ＵＡＧ−ａ］｝である。同様に、ＣＯＲＥＳＥＴ−３の空間パラメータは、｛［ｃ−５，ＵＡＧ−ｂ］｝である。
【０１５１】
基準２：低優先順位チャネルが、監視されない。したがって、制御チャネルのＣＯＲＥＳＥＴ−２およびＣＯＲＥＳＥＴ−３は、ＵＥ端によって監視されないであろう。
（実施例３）
【０１５２】
ＵＥが、ＵＥによってサポートされるマルチアンテナパネルまたはマルチパネルの能力情報を報告するとき、ＵＥの第Ａタイプのパケットの数Ｒ１は、２であり、すなわち、Ｒ１＝２であり、ＵＥの第Ａタイプのパケットの下の第Ｂタイプのパケットの数Ｒ２は、２であり、すなわち、Ｒ２＝２である。第Ａタイプのパケットの特性は、異なるパケットに関連付けられた情報要素が、同時に受信され得、同じパケットが、Ｅ個の第Ｂタイプのパケットを含むことである。第Ｂタイプのパケットの特性は、異なるパケットに関連付けられた情報要素が、同時に受信され得、異なるチャネル特性仮説を有し、同じパケットに関連付けられた情報要素が、同時に受信されないこともあることである。
【０１５３】
図６は、本開示のある実施形態による、実施例３におけるＰＤＳＣＨのチャネル特性仮説とＰＤＣＣＨのチャネル特性仮説との間で生じる衝突の概略図である。制御チャネルＰＤＣＣＨに関して、ＣＯＲＥＳＥＴ−２の空間パラメータの下のＤＬ  ＲＳが、｛［ｃ−１，ＵＡＧ−ａ］｝として構成され、ＣＯＲＥＳＥＴ−３の空間パラメータの下のＤＬ  ＲＳが、｛［ｃ−１，ＵＡＧ−ｂ］｝、｛［ｃ−６，ＵＡＧ−ｂ］｝として構成される。同時に、２つのＰＤＳＣＨの伝送が、含まれ、ＰＤＳＣＨ−１の空間パラメータの下のＤＬ  ＲＳは、｛［ｃ−２，ＵＡＧ−ａ］，［ｃ−５，ＵＡＧ−ｂ］｝であり、ＰＤＳＣＨ−２の空間パラメータの下のＤＬ  ＲＳも、｛［ｃ−２，ＵＡＧ−ａ］，［ｃ−５，ＵＡＧ−ｂ］｝である。ＰＤＳＣＨの優先順位は、ＰＤＣＣＨの優先順位より高い。
【０１５４】
ＣＯＲＥＳＥＴ−２／ＰＤＳＣＨ−１：１つのＵＡＧが、同時に２つの第Ｂタイプのパケットをサポートすることができるので、ＵＥの視点から、衝突がＣＯＲＥＳＥＴ−２とＰＤＳＣＨ−１との間に生じることは考えられない。換言すると、ＣＯＲＥＳＥＴ−２およびＰＤＳＣＨ−１の両方は、正常に受信され、特定の受信ビームが、ＵＥ端によって決定される。
【０１５５】
ＣＯＲＥＳＥＴ−３／ＰＤＳＣＨ−２：ＵＡＧ−ｂに関して、Ｒ２＝２の上限を超えるＹ１＝３個の異なる空間パラメータが存在し、したがって、低優先順位ＣＯＲＥＳＥＴ−３に関連付けられたＵＡＧ−ｂの空間パラメータは、ＰＤＳＣＨに関連付けられたＵＡＧ−ｂの空間パラメータによって置換される。すなわち、ＣＯＲＥＳＥＴ−３の空間パラメータの下のＤＬ  ＲＳは、｛［ｃ−５，ＵＡＧ−ｂ］｝に修正される。さらに、ＣＯＲＥＳＥＴ−３のＱＣＬ仮説全体またはＴＣＩ状態が、ＰＤＳＣＨに関連付けられたＵＡＧ−ｂのＴＣＩ状態に修正される。
（実施例４）
【０１５６】
ＵＥが、ＵＥによってサポートされるマルチアンテナパネルまたはマルチパネルの能力情報を報告するとき、同時に受信されるダウンリンク参照信号リソースおよび／またはダウンリンクチャネルの数Ｒ１は、２であり、すなわち、Ｒ１＝２であり、基地局端は、基地局の第Ａタイプのパケットの数Ｔ１＝２、および基地局の第Ａタイプのパケットの下の第Ｂタイプのパケットの数Ｔ２を構成する。
【０１５７】
第Ａタイプのパケットの特性は、異なるパケットに関連付けられた情報要素が、同時に受信され得、同じパケットが、Ｅ個の第Ｂタイプのパケットを含むことである。第Ｂタイプのパケットの特性は、異なるパケットに関連付けられた情報要素が、同時に受信され得、異なるチャネル特性仮説を有し、同じパケットに関連付けられた情報要素が、同時に受信されないこともあることである。
【０１５８】
図７は、本開示のある実施形態の実施例４における、基地局端におけるＴＲＰ／パネルの数を考慮する場合のＰＤＳＣＨのチャネル特性仮説とＰＤＣＣＨのチャネル特性仮説との間の衝突の概略図である。図７に示されるように、ＣＯＲＥＳＥＴ−２の空間パラメータの下のＤＬ  ＲＳは、｛［ｃ−１，ｇＮｏｄｅ  Ａｎｔｅｎｎａ  Ｇｒｏｕｐ−ａ（ＮＡＧ−ａ）］｝であり、ＣＯＲＥＳＥＴ−３の空間パラメータの下のＤＬ  ＲＳは、｛［ｃ−６，ＮＡＧ−ｂ］｝であり、ＰＤＳＣＨ−１およびＰＤＳＣＨ−２の空間パラメータの下のＤＬ  ＲＳは、｛［ｃ−２，ＮＡＧ−ａ］，［ｃ−５，ＮＡＧ−ｂ］｝である。
【０１５９】
Ｔ２＝１の場合、ＣＯＲＥＳＥＴ−２に関して、２つの空間パラメータの下のＤＬ  ＲＳが、ＮＡＧ−ａの下に含まれ、ＤＬ  ＲＳは、それぞれ、ｃ−１およびｃ−２であり、Ｚ＝２は、Ｔ２を上回り、ＰＤＳＣＨ−１のチャネル特性仮説およびＰＤＣＣＨのチャネル特性仮説は、衝突する。したがって、ＣＯＲＥＳＥＴの優先順位より高いＰＤＳＣＨの優先順位によると、ＵＥの視点から、ＣＯＲＥＳＥＴ−２の空間パラメータは、｛［ｃ−２，ＵＡＧ−ａ］｝として書き換えられる。同様に、ＣＯＲＥＳＥＴ−３の空間パラメータは、｛［ｃ−５，ＮＡＧ−ｂ］｝として書き換えられる。
【０１６０】
Ｔ２＝２の場合、ＣＯＲＥＳＥＴ−２に関して、２つの空間パラメータの下のＤＬ  ＲＳが、ＮＡＧ−ａの下に含まれ、ＤＬ  ＲＳは、それぞれ、ｃ−１およびｃ−２であり、Ｚ＝２は、Ｔ２を上回らず、ＰＤＳＣＨ−１のチャネル特性仮説とＰＤＣＣＨのチャネル特性仮説とは、衝突しない。したがって、ＵＥの視点から、ＣＯＲＥＳＥＴ−２の空間パラメータは、置換されない。同様に、ＣＯＲＥＳＥＴ−３の空間パラメータも、置換されない。
（実施例５）
【０１６１】
図８は、本開示のある実施形態による、実施例５におけるクロスＣＣ下のチャネル特性仮説の間で生じる衝突がない概略図である。図８に示されるように、ＵＥは、能力情報を報告し、チャネル状態情報内の第２のタイプのパケットの最大数Ｒ１は、２であり、すなわち、Ｒ１＝２であり、基地局によって構成される基地局の第Ａタイプのパケットの数Ｔ１は、２であり、すなわち、Ｔ１＝２である。さらに、構成された情報要素のチャネル特性仮説が、受信され、チャネル特性仮説は、情報要素を受信すべきかどうかを決定するためのＵＡＧインデックスと、参照信号インデックスとを含む。
【０１６２】
一次セル（Ｐセル）の下で、ＣＯＲＥＳＥＴ−１およびＣＯＲＥＳＥＴ−３の空間パラメータは、｛［ｃ−２，ＵＡＧ−ａ］｝であり、ＣＯＲＥＳＥＴ−２の空間パラメータは、｛［ｃ−３，ＵＡＧ−ａ］｝である。ｋ＝１スロット未満のスケジューリングオフセットを有するＰＤＳＣＨのＱＣＬ状態は、セルの最近傍スロットの最低ＣＯＲＥＳＥＴ  ＩＤのＱＣＬ状態、すなわち、対応するＴＣＩ状態に従う必要がある。したがって、ｋ未満のスロット−１およびスロット−３のスケジューリングオフセットを有するＰＤＳＣＨの空間パラメータは、｛［ｃ−１，ＵＡＧ−ａ］｝であり、ｋ未満のスロット−２のスケジューリングオフセットを有するＰＤＳＣＨの空間パラメータは、｛［ｃ−３，ＵＡＧ−ａ］｝である。
【０１６３】
二次セル（Ｓセル）の下で、ＣＯＲＥＳＥＴ−１およびＣＯＲＥＳＥＴ−３の空間パラメータは、｛［ｃ−５，ＵＡＧ−ｂ］｝であり、ＣＯＲＥＳＥＴ−２の空間パラメータは、｛［ｃ−７，ＵＡＧ−ｂ］｝である。ｋ＝１スロット未満のスケジューリングオフセットを有するＰＤＳＣＨのＱＣＬ状態は、セルの最近傍スロットの最低ＣＯＲＥＳＥＴ  ＩＤのＱＣＬ状態、すなわち、対応するＴＣＩ状態に従う必要がある。したがって、ｋ未満のスロット−１およびスロット−３のスケジューリングオフセットを有する、ＰＤＳＣＨの空間パラメータは、｛［ｃ−５，ＵＡＧ−ｂ］｝であり、ｋ未満のスロット−２のスケジューリングオフセットを有する、ＰＤＳＣＨの空間パラメータは、｛［ｃ−７，ＵＡＧ−ｂ］｝である。
【０１６４】
スロット−１からスロット−３の下で、同じＵＡＧ群内の空間パラメータの数は、ＵＥの視点から、いずれの空間パラメータ（またはＴＣＩ状態またはＱＣＬ状態）も再構成される必要がないように、１以下である。
（実施例６）
【０１６５】
図９は、本開示のある実施形態による、実施例６におけるクロスＣＣ下のチャネル特性仮説の間で生じる衝突の概略図である。ＵＥが、能力情報を報告し、チャネル状態情報レポートにおける第２のタイプのパケットの最大数Ｒ１は、２であり、すなわち、Ｒ１＝２であり、基地局によって構成される基地局の第Ａタイプのパケットの数Ｔ１は、２であり、すなわち、Ｔ１＝２であり、第Ａタイプのパケットの第Ｂタイプのパケットの数Ｔ２は、１であり、すなわち、Ｔ２＝１である。さらに、構成された情報要素のチャネル特性仮説が、受信され、チャネル特性仮説は、情報要素を受信すべきかどうかを決定するためのＵＡＧインデックスと、参照信号インデックスとを含む。
【０１６６】
Ｐセルの下で、ＣＯＲＥＳＥＴ−１、ＣＯＲＥＳＥＴ−２、およびＣＯＲＥＳＥＴ−３の空間パラメータは、｛［ｃ−１，ＵＡＧ−ａ］｝である。ｋ＝１スロット未満のスケジューリングオフセットを有するＰＤＳＣＨのＱＣＬ状態は、Ｐセルの最近傍スロットの最低ＣＯＲＥＳＥＴ  ＩＤのＱＣＬ状態、すなわち、対応するＴＣＩ状態に従う必要がある。したがって、ｋ未満のスロット−１、スロット−２、およびスロット−３のスケジューリングオフセットを有するＰＤＳＣＨの空間パラメータは、｛［ｃ−１，ＵＡＧ−ａ］｝である。
【０１６７】
Ｓセルの下で、ＣＯＲＥＳＥＴ−１およびＣＯＲＥＳＥＴ−３の空間パラメータは、｛［ｃ−５，ＵＡＧ−ｂ］｝であり、ＣＯＲＥＳＥＴ−２の空間パラメータは、｛［ｃ−７，ＵＡＧ−ａ］｝である。ｋ＝１スロット未満のスケジューリングオフセットを有するＰＤＳＣＨのＱＣＬ状態は、Ｓセルの最近傍スロットの最低ＣＯＲＥＳＥＴ  ＩＤのＱＣＬ状態、すなわち、対応するＴＣＩ状態に従う必要がある。したがって、ｋ未満のスロット−１およびスロット−３のスケジューリングオフセットを有するＰＤＳＣＨの空間パラメータは、｛［ｃ−５，ＵＡＧ−ｂ］｝であり、ｋ未満のスロット−２のスケジューリングオフセットを有するＰＤＳＣＨの空間パラメータは、｛［ｃ−７，ＵＡＧ−ａ］｝である。
【０１６８】
スロット−１からスロット−３の下で、同じＵＡＧ群内の空間パラメータの数は、１以下であり、ＵＥの視点から、いずれの空間パラメータ（またはＴＣＩ状態またはＱＣＬ状態）も再構成される必要がない。
【０１６９】
しかしながら、スロット−２に関して、ＵＡＧ−ａの空間パラメータの数は、１を上回り、したがって、ＵＥの視点から、ＣＯＲＥＳＥＴ−２およびＳセルの下のｋ未満のスケジューリングオフセットを有するＰＤＳＣＨの空間パラメータは、それぞれ、対応するＣＯＲＥＳＥＴおよびＰセルの下のｋ未満のスケジューリングオフセットを有するＰＤＳＣＨの空間パラメータに従う必要があり、すなわち、空間パラメータ｛［ｃ−７，ＵＡＧ−ａ］｝は、｛［ｃ−１，ＵＡＧ−ａ］｝として書き換えられる。
【０１７０】
結論として、本開示の実施形態によって提供される技術方式に基づいて、ＵＥ端によって同時にフィードバックされる参照信号またはチャネルを受信する能力、および同時に参照信号またはチャネルを送信することをサポートし得る基地局端によって構成される制限情報に従って、システム設計の融通性を改良し、基地局端の構成またはスケジューリングへの過剰に多くの制限を回避し、送受信機端におけるビームまたはアンテナパネルのリソース利用効率を改良するように、同時に送信および受信する複数のビームの下のチャネル特性仮説の間で生じる衝突を処理する方法が、規定される。
【０１７１】
図１０を参照すると、本開示の別の実施形態は、情報要素を伝送する方法を提供し、方法は、下で説明されるステップを含む。
【０１７２】
ステップ１０００において、第２の通信ノードが、以下のうちの少なくとも１つを実施する：第２の通信ノードが、第１の通信ノードによって送信される能力情報を受信する、第２の通信ノードが、情報要素のパラメータ情報を第１の通信ノードに送信するか、または、第２の通信ノードが、情報要素のチャネル特性仮説を第１の通信ノードに送信する。
【０１７３】
本開示のある実施形態において、能力情報は、以下のうちの少なくとも１つを含む：第１のタイプの情報、第２のタイプの情報、または第３のタイプの情報。
【０１７４】
パラメータ情報は、以下のうちの少なくとも１つを含む：第４のタイプの情報または第５のタイプの情報。
【０１７５】
第１のタイプの情報、第２のタイプの情報、第３のタイプの情報、第４のタイプの情報、および第５のタイプの情報は、前述の実施形態のそれらと同じであり、ここでは繰り返されないであろう。
【０１７６】
本開示の実施形態において、第２の通信ノードは、第１の通信ノードによって送信される能力情報に従って、パラメータ情報を決定し得、パラメータ情報を第１の通信ノードに送信する。特に、能力情報は、パラメータ情報として受け取られ得る。例えば、第１の通信ノードの能力情報が、パケットレポートをサポートするそれであるとき、第２の通信ノードによって取得される第１の通信ノードの能力は、最大２つの異なるチャネル特性仮説の信号伝送をサポートするそれであり（第１の通信ノードの能力情報が、パケットレポートをサポートしないそれであるとき、第１の通信ノードの能力は、デフォルトで最大１つのみの異なるチャネル特性仮説の信号伝送をサポートするそれであり）、したがって、第２の通信ノードによって構成される復調参照信号ポート群の数は、２である。
【０１７７】
第２の通信ノードは、第１の通信ノードによって送信される能力情報に従って、パラメータ情報を決定しないこともあり、それは、本開示の実施形態において限定されない。
【０１７８】
ステップ１００１において、第２の通信ノードが、情報要素を送信し、情報要素は、Ｑ１個の参照信号、Ｑ２個のデータチャネル、またはＱ３個の制御チャネルのうちの少なくとも１つを含み、Ｑ１、Ｑ２、およびＱ３は、１以上の１整数である。
【０１７９】
本開示の実施形態は、情報要素を送信する様式を限定せず、情報要素を送信する様式は、能力情報、パラメータ情報、または情報要素のチャネル特性仮説のうちの少なくとも１つに従って決定され得、情報要素を送信する様式を決定するための詳細な方法は、ここでは繰り返されないであろう。または、情報要素を送信する様式は、能力情報、パラメータ情報、または情報要素のチャネル特性仮説のうちの少なくとも１つに従って決定されないこともある。
【０１８０】
図１１を参照すると、本開示の別の実施形態は、第１の通信モジュール１１０１と、決定モジュール１１０２とを含む通信ノードを提供する。
【０１８１】
第１の通信モジュール１１０１は、以下のうちの少なくとも１つを実施するように構成される：能力情報を第２の通信ノードに送信すること；第２の通信ノードによって構成された情報要素のパラメータ情報を受信すること；または、第２の通信ノードによって構成された情報要素のチャネル特性仮説を受信すること。
【０１８２】
決定モジュール１１０２は、以下のうちの少なくとも１つを決定するように構成される：能力情報、パラメータ情報、または情報要素の構成されたチャネル特性仮説に従って、情報要素を受信する様式。
【０１８３】
情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。
【０１８４】
本開示のある実施形態において、情報要素の特性は、以下のうちの少なくとも１つを含む：同時に伝送されること；第２の通信ノードによって同時に送信されること；第１の通信ノードによって同時に受信されること；または、同じ時間単位に関連付けられること、または、関連付けられる時間単位が部分的または完全に重複すること。同じ時間単位は、ＯＦＤＭシンボル、サブＯＦＤＭシンボル、またはスロットのうちの少なくとも１つを含む。
【０１８５】
本開示のある実施形態において、能力情報は、以下のうちの少なくとも１つを含む：第１のタイプの情報、第２のタイプの情報、または第３のタイプの情報。
【０１８６】
本開示のある実施形態において、第１のタイプの情報は、以下のうちの少なくとも１つを含む：第Ａタイプのパケットの数；第１の通信ノードの第Ａのタイプのパケットの数；チャネル状態情報レポートにおける第１のタイプのパケット内の参照信号の数または最大数；チャネル状態情報レポートにおける第２のタイプのパケット内の参照信号の数または最大数；チャネル状態情報レポートにおける第３のタイプのパケット内の参照信号の数または最大数；同時に送信される、以下のうちの少なくとも１つ、すなわち、アップリンク参照信号リソースまたはアップリンクチャネルの数または最大数；同時に受信される、以下のうちの少なくとも１つ、すなわち、ダウンリンク参照信号リソースまたはダウンリンクチャネルの数または最大数；同時に受信される、以下のうちの少なくとも１つ、すなわち、ダウンリンク参照信号リソースまたはダウンリンクチャネルのチャネル特性仮説の数または最大数；同時に受信される、以下のうちの少なくとも１つ、すなわち、ダウンリンク参照信号リソースまたはダウンリンクチャネルの異なるチャネル特性仮説の数または最大数、または、異なるチャネル特性仮説を有し、同時に受信されるダウンリンク情報要素の数または最大数；参照信号リソースまたは参照信号リソースセットによって構成され得るチャネル特性仮説の数または最大数；以下のうちの少なくとも１つ、すなわち、参照信号リソースセット、ビーム管理のための参照信号リソースセット、参照信号受信電力レポートのための参照信号リソース、参照信号受信品質レポートのための参照信号リソース、信号対干渉および雑音比レポートのための参照信号リソースセット、または反復シグナリングを伴って構成される参照信号リソースセットの数または最大数；復調参照信号ポート群の数または最大数、または、合同伝送モードにおける復調参照信号ポート群の数または最大数、または物理ダウンリンク制御チャネルの制御リソースセットの組み合わせの数または最大数。
【０１８７】
本開示のある実施形態において、アップリンク参照信号は、以下のうちの少なくとも１つを含む：質測定用参照信号、位相追跡参照信号、または復調参照信号。
【０１８８】
本開示のある実施形態において、ダウンリンク参照信号は、以下のうちの少なくとも１つを含む：チャネル状態情報参照信号、ダウンリンク位相追跡参照信号、同期化信号ブロック、同期化信号／物理ブロードキャストチャネル、ダウンリンク復調参照信号、または追跡のためのチャネル状態情報参照信号。
【０１８９】
本開示のある実施形態において、第２のタイプの情報は、以下のうちの少なくとも１つを含む：１つの第Ａタイプのパケットの下の第Ｂタイプのパケットの数；第１の通信ノードの１つの第Ａタイプのパケットの下の第Ｂタイプのパケットの数；または、チャネル状態情報レポートにおける１つの第３のタイプのパケット内で同時に受信される参照信号の数または最大数。
【０１９０】
本開示のある実施形態において、第３のタイプの情報は、以下のうちの少なくとも１つを含む：ダウンリンク情報要素を同時に受信することの能力情報；マルチ伝送ノード伝送モードの能力情報、または合同伝送モードの能力情報、または直接通信の能力情報；複数の復調参照信号ポート群のモードの能力情報；物理ダウンリンク制御チャネルの制御リソースセットの複数の組み合わせの能力情報；または、パケットレポートの能力情報。
【０１９１】
本開示のある実施形態において、パラメータ情報は、以下のうちの少なくとも１つを含む：第４のタイプの情報または第５のタイプの情報。
【０１９２】
本開示のある実施形態において、第４のタイプの情報は、以下のうちの少なくとも１つを含む：第Ａタイプのパケットの数；第２の通信ノードの第Ａタイプのパケットの数；同時に送信されるダウンリンク情報要素のチャネル特性仮説の数または最大数、または、同時に送信されるダウンリンク情報要素の異なるチャネル特性仮説の数または最大数；同時に送信されるダウンリンク情報要素の数または最大数、または、異なるチャネル特性仮説を有し、同時に送信されるダウンリンク情報要素の数または最大数；同時に処理されるダウンリンク情報要素の数または最大数；同時に処理されるダウンリンク情報要素に関連付けられたチャネル特性仮説の数または最大数；同時に処理されるダウンリンク情報要素の異なるチャネル特性仮説の数または最大数；異なるチャネル特性仮説を有し、同時に処理されるダウンリンク情報要素の数または最大数；チャネル状態情報レポートにおける第１のタイプのパケット内の参照信号の数または最大数、または、チャネル状態情報レポートにおける第１のタイプのパケット内の同じ参照信号リソースセットからであるか、または、同じ参照信号構成である参照信号の数または最大数；チャネル状態情報レポートにおける第２のタイプのパケットの数または最大数、または、チャネル状態情報レポートにおける同じ参照信号リソースセットまたは同じ参照信号構成に参照信号を含む第２のタイプのパケットの数または最大数；チャネル状態情報レポートにおける第３のタイプのパケットの数または最大数、または、チャネル状態情報レポートにおける同じ参照信号リソースセットまたは同じ参照信号構成に参照信号を含む第３のタイプのパケットの数または最大数；復調参照信号ポート群の数または最大数、または、合同伝送モードにおける復調参照信号ポート群の数または最大数；物理ダウンリンク制御チャネルの制御リソースセットの組み合わせの数または最大数；または、直接通信のリソース群の数。
【０１９３】
本開示のある実施形態において、上記の処理されることは、受信されること、監視されること、または測定されることのうちの１つを含む。
【０１９４】
本開示のある実施形態において、第１のタイプのパケットの特性は、以下のうちの少なくとも１つを含む：パケット内の参照信号が同時に受信され得ること；または、パケットの参照信号が同時に受信されないこともあること、またはパケットの異なる参照信号が同時に受信されないこともあること。
【０１９５】
本開示のある実施形態において、第２のタイプのパケットの特性は、以下のうちの少なくとも１つ、すなわち、パケットの参照信号が同時に受信され得ること、またはパケット内の参照信号が同時に受信されないこともあること、またはパケット内の異なる参照信号が同時に受信されないこともあることを含む。
【０１９６】
本開示のある実施形態において、第５のタイプの情報は、以下のうちの少なくとも１つを含む：１つの第Ａタイプのパケットの下の第Ｂタイプのパケットの数、または、第２の通信ノードの１つの第Ａタイプのパケットの下の第Ｂタイプのパケットの数；または、チャネル状態情報レポートにおける第３のタイプのパケット内の同時に受信される参照信号の数または最大数、またはチャネル状態情報レポートにおける第３のタイプのパケット内の同じ参照信号セットからであるか、または同じ参照信号構成である参照信号の数または最大数。
【０１９７】
本開示のある実施形態において、第３のタイプのパケットの特性は、以下のうちの少なくとも１つを含む：パケットの参照信号が同時に受信され得ること；パケット内のＦ個以下の参照信号が同時に受信され得ること、または、パケット内のＦ個以下の異なる参照信号が同時に受信され得ること；または、パケット内のＦ個以下の参照信号が同時に受信されないこともあること、または、パケット内のＦ個以下の異なる参照信号が同時に受信されないこともあること。Ｆは、１以上の正の整数である。
【０１９８】
本開示のある実施形態において、第Ａタイプのパケットは、パネルまたはアンテナアレイのうちの１つを含む。さらに、パネルは、アンテナパネルとも称され得る。
【０１９９】
本開示のある実施形態において、第Ａタイプのパケットの特性は、以下のうちの少なくとも１つを含む：それぞれの異なるパケットに関連付けられた情報要素が、同時に送信され得ること；それぞれの異なるパケットに関連付けられた情報要素が、同時に受信され得ること；同じパケットに関連付けられた情報要素が、同時に送信されないこともあること、または、異なるチャネル特性仮説を有し、同じパケットに関連付けられた情報要素が、同時に送信されないこともあること；または、同じパケットに関連付けられた情報要素が、同時に受信されないこともあること、または、異なるチャネル特性仮説を有し、同じパケットに関連付けられた情報要素が、同時に受信されないこともあること。
【０２００】
本開示のある実施形態において、第Ａタイプのパケットの特性は、以下のうちの少なくとも１つを含む：同じパケットに関連付けられたＥ個以下の情報要素が、同時に送信され得ること、または、異なるチャネル特性仮説を有し、同じパケットに関連付けられたＥ個以下の情報要素が、同時に送信され得ること；同じパケットに関連付けられたＥ個以下の情報要素が、同時に送信されないこともあること、または、異なるチャネル特性仮説を有し、同じパケットに関連付けられたＥ個以下の情報要素が、同時に送信されないこともあること；同じパケットに関連付けられたＥ個以下の情報要素が、同時に受信され得ること、または、異なるチャネル特性仮説を有し、同じパケットに関連付けられたＥ個以下の情報要素が、同時に受信され得ること；同じパケットに関連付けられたＥ個以下の情報要素が、同時に受信されないこともあること、または、異なるチャネル特性仮説を有し、同じパケットに関連付けられたＥ個以下の情報要素が、同時に受信されないこともあること；または、Ｅ個の第Ｂタイプのパケットが、パケットに含まれること。Ｅは、１以上の正の整数である。
【０２０１】
本開示のある実施形態において、第Ｂタイプのパケットの特性は、以下のうちの少なくとも１つを含む：それぞれの異なるパケットに関連付けられた情報要素が、同時に送信され得ること；それぞれの異なるパケットに関連付けられた情報要素が、同時に受信され得ること；同じパケットに関連付けられた情報要素が、同時に送信されないこともあること、または、異なるチャネル特性仮説を有し、同じパケットに関連付けられた情報要素が、同時に送信されないこともあること；または、同じパケットに関連付けられた情報要素が、同時に受信されないこともあること、または、異なるチャネル特性仮説を有し、同じパケットに関連付けられた情報要素が、同時に受信されないこともあること。
【０２０２】
本開示のある実施形態において、チャネル特性仮説は、以下のうちの少なくとも１つを含む：準コロケーション、空間パラメータ、空間準コロケーション、伝送構成指示状態、空間フィルタ情報、アンテナ群情報、または基準ＲＳセット。さらに、チャネル特性仮説は、空間パラメータおよびアンテナ群情報の両方によって説明され得る。
【０２０３】
本開示のある実施形態において、決定モジュール１１０２は、事前設定された条件が、以下のうちの少なくとも１つ、すなわち、能力情報、パラメータ情報、または情報要素のチャネル特性仮説によって満たされる場合、情報要素を受信する様式を決定するように具体的に構成される。
【０２０４】
本開示のある実施形態において、決定モジュール１１０２は、事前設定された条件が、能力情報、パラメータ情報、または情報要素のチャネル特性仮説のうちの少なくとも１つによって満たされる場合、優先順位基準に従って、以下のうちの少なくとも１つを実施するように具体的に構成される：低優先順位情報要素のチャネル特性仮説を特定のチャネル特性仮説によって置換すること、または、特定のチャネル特性仮説を使用することによって低優先順位情報要素を受信すること；高優先順位情報要素を受信すること、または、低優先順位情報要素を受信しないこと、；または、低優先順位情報要素を除去すること。
【０２０５】
本開示のある実施形態において、事前設定された条件は、以下のうちの少なくとも１つを含む：情報要素の異なるチャネル特性仮説の数が第１のタイプの閾値を上回ること、または、情報要素のチャネル特性仮説の数が第１のタイプの閾値を上回ること、または、情報要素の数が第１のタイプの閾値を上回ること；情報要素に関連付けられた第１のタイプのパラメータが第２のタイプの閾値を上回ること；情報要素に関連付けられた第２のタイプのパラメータが第３のタイプの閾値を上回ること；情報要素に関連付けられた第３のタイプのパラメータが第４のタイプの閾値を上回ること。
【０２０６】
第３のタイプの情報は、以下のうちの少なくとも１つを含む：ダウンリンク情報要素を同時に受信することをサポートすること、マルチ伝送ノード伝送モードをサポートすること、合同伝送モードをサポートすること、複数の復調参照信号ポート群のモードをサポートすること、パケットレポートをサポートすること、直接通信をサポートすること、または、複数の物理ダウンリンク制御チャネルの制御リソースセットを組み合わせることをサポートすることを含む。
【０２０７】
第１のタイプの閾値、または第２のタイプの閾値、または第３のタイプの閾値、または第４のタイプの閾値は、能力情報またはパラメータ情報のうちの少なくとも１つに従って決定される。
【０２０８】
本開示のある実施形態において、第１のタイプの閾値、または第２のタイプの閾値、または第３のタイプの閾値、または第４のタイプの閾値は、以下のうちの少なくとも１つを含む：１、２、３、４、第１のタイプの情報、第２のタイプの情報、第４のタイプの情報、第５のタイプの情報、第１のタイプの情報と第２のタイプの情報との積、または第４のタイプの情報と第５のタイプの情報との積。
【０２０９】
本開示のある実施形態において、第１のタイプのパラメータは、情報要素に関連付けられた第１のタイプのパケットの数、または、情報要素に関連付けられた異なる第１のタイプのパケットインデックスの数を含む。
【０２１０】
本開示のある実施形態において、第２のタイプのパラメータは、以下のうちの少なくとも１つを含む：第１の通信ノードの同じ第Ａタイプのパケットインデックスの情報要素の数または最大数；第１の通信ノードの同じ第Ａタイプのパケットインデックスのチャネル特性仮説の数または最大数（同じ第Ａタイプのパケットインデックスは、情報要素に関連付けられている）；第１の通信ノードの同じ第Ａタイプのパケットインデックスの異なるチャネル特性仮説の数または最大数（同じ第Ａタイプのパケットインデックスは、情報要素に関連付けられている）；同じ第２のタイプのパケットインデックスの情報要素の数または最大数、または、情報要素に関連付けられた同じ第２のタイプのパケットインデックスのチャネル特性仮説の数または最大数、または、情報要素に関連付けられた同じ第２のタイプのパケットインデックスの異なるチャネル特性仮説の数または最大数；または、同じ第３のタイプのパケットインデックスの情報要素の数または最大数、または、情報要素に関連付けられた同じ第３のタイプのパケットインデックスのチャネル特性仮説の数または最大数、または、情報要素に関連付けられた同じ第３のタイプのパケットインデックスの異なるチャネル特性仮説の数または最大数。
【０２１１】
本開示のある実施形態において、情報要素に関連付けられた第３のタイプのパラメータは、以下のうちの少なくとも１つ含む：第２の通信ノードの同じ第Ａタイプのパケットの情報要素の数または最大数（同じ第Ａタイプのパケットは、情報要素に関連付けられている）；第２の通信ノードの同じ第Ａタイプのパケットのチャネル特性仮説の数または最大数（同じ第Ａタイプのパケットは、情報要素に関連付けられている）；または、第２の通信ノードの同じ第Ａタイプのパケットの異なるチャネル特性仮説の数または最大数（同じ第Ａタイプのパケットは、情報要素に関連付けられている）。
【０２１２】
本開示のある実施形態において、事前設定された条件は、以下のうちの少なくとも１つを含む：情報要素の数が第５のタイプの閾値を上回ること、または、情報要素の異なるチャネル特性仮説の数が第５のタイプの閾値を上回ること、または、情報要素のチャネル特性仮説の数が第５のタイプの閾値を上回ること；ダウンリンク情報要素を同時に受信することをサポートしないこと、マルチ伝送ノード伝送モードをサポートしないこと、合同伝送モードをサポートしないこと、複数の復調参照信号ポート群のモードをサポートしないこと、パケットレポートをサポートしないこと、直接通信をサポートしないこと、または複数の物理ダウンリンク制御チャネルの制御リソースセットを組み合わせることをサポートしないことのうちの少なくとも１つを含む第３のタイプの情報；第３のタイプの情報がデフォルトまたはヌルであること；または、第３のタイプの情報が送信されないこと。第５のタイプの閾値は、１、２、３、または４のうちの少なくとも１つを含む。
【０２１３】
本開示のある実施形態において、低優先順位情報要素に関連付けられたパケットインデックスに関連付けられた情報要素の数は、第３のタイプの閾値を上回る；または、低優先順位情報要素のチャネル特性仮説に関連付けられたパケットインデックスに関連付けられたチャネル特性仮説の数は、第３のタイプの閾値を上回る；または、低優先順位情報要素のチャネル特性仮説に関連付けられたパケットインデックスに関連付けられた異なるチャネル特性仮説の数は、第３のタイプの閾値を上回る。
【０２１４】
本開示のある実施形態において、低優先順位情報要素に関連付けられたパケットインデックスに関連付けられた情報要素の数は、第４のタイプの閾値を上回る；または、低優先順位情報要素のチャネル特性仮説に関連付けられたパケットインデックスに関連付けられたチャネル特性仮説の数は、第４のタイプの閾値を上回る；または、低優先順位情報要素のチャネル特性仮説に関連付けられたパケットインデックスに関連付けられた異なるチャネル特性仮説の数は、第４のタイプの閾値を上回る。
【０２１５】
本開示のある実施形態において、特定のチャネル特性仮説は、以下のうちの少なくとも１つを含む：事前構成されたチャネル特性仮説、第１の事前決定された条件を満たす事前設定されたインデックスに関連付けられたチャネル特性仮説、または、一次キャリアのチャネル特性仮説；または高優先順位情報要素のチャネル特性仮説。
【０２１６】
第１の事前決定された条件を満たす事前設定されたインデックスは、以下のうちの１つを含む：最低のＮ個の事前設定されたインデックス、最高のＮ個の事前設定されたインデックス、または特定のＮ個の事前設定されたインデックス。
【０２１７】
事前設定されたインデックスは、以下のうちの少なくとも１つを含む：キャリアインデックス、帯域幅部分インデックス、制御リソースセットインデックス、または制御チャネルリソースインデックス。Ｎは、１以上の正の整数である。
【０２１８】
本開示のある実施形態において、特定のチャネル特性仮説は、以下のうちの少なくとも１つを含む：事前構成されたチャネル特性仮説；低優先順位情報要素に関連付けられた第１のタイプのパケットインデックスの事前構成されたチャネル特性仮説；第２の事前決定された条件を満たす事前設定されたインデックスのうちの第１の事前決定された条件を満たす事前設定されたインデックスに関連付けられたチャネル特性仮説；または、高優先順位情報要素のチャネル特性仮説。
【０２１９】
第１の事前決定された条件を満たす事前設定されたインデックスは、以下のうちの１つを含む：最低のＮ個の事前設定されたインデックス、最高のＮ個の事前設定されたインデックス、または特定のＮ個の事前設定されたインデックス。
【０２２０】
第２の事前決定された条件を満たす事前設定されたインデックスは、低優先順位情報要素に関連付けられた第１のタイプのパケットインデックスに関連付けられた事前設定されたインデックスを含む。
【０２２１】
事前設定されたインデックスは、以下のうちの少なくとも１つを含む：キャリアインデックス、帯域幅部分インデックス、制御リソースセットインデックス、または制御チャネルリソースインデックス。Ｎは、１以上の正の整数である。
【０２２２】
本開示のある実施形態において、特定のチャネル特性仮説は、以下のうちの少なくとも１つを含む：事前構成されたチャネル特性仮説；低優先順位情報要素に関連付けられた第Ａタイプのパケットインデックスの事前構成されたチャネル特性仮説；または、低優先順位情報要素に関連付けられた第３のタイプのパケットインデックスまたは第２のタイプのパケットインデックスの事前構成されたチャネル特性仮説。
【０２２３】
本開示のある実施形態において、特定のチャネル特性仮説は、以下のうちの少なくとも１つを含む：第１の事前決定された条件を満たし、低優先順位情報要素に関連付けられた事前設定されたインデックスに関連付けられたチャネル特性仮説；低優先順位情報要素に関連付けられた一次セルまたは一次キャリアのチャネル特性仮説；第３の事前決定された条件を満たす事前設定されたインデックスのうちの第１の事前決定された条件を満たす事前設定されたインデックスに関連付けられたチャネル特性仮説（第３の事前決定された条件を満たす事前設定されたインデックスは、低優先順位情報要素に関連付けられた第Ａタイプのパケットに関連付けられた事前設定されたインデックスを含む）；低優先順位情報要素に関連付けられた第Ａタイプのパケットに関連付けられた一次キャリアのチャネル特性仮説；第４の事前決定された条件を満たす事前設定されたインデックスのうちの第１の事前決定された条件を満たす事前設定されたインデックスに関連付けられたチャネル特性仮説（第４の事前決定された条件を満たす事前設定されたインデックスは、低優先順位情報要素に関連付けられた第２のタイプのパケットに関連付けられた事前設定されたインデックスを含む）；または、第５の事前決定された条件を満たす事前設定されたインデックスのうちの第１の事前決定された条件を満たす事前設定されたインデックスに関連付けられたチャネル特性仮説（第５の事前決定された条件を満たす事前設定されたインデックスは、低優先順位情報要素に関連付けられた第３のタイプのパケットに関連付けられた事前設定されたインデックスを含む）。
【０２２４】
第１の事前決定された条件を満たす事前設定されたインデックスは、以下のうちの１つを含む：最低のＮ個の事前設定されたインデックス、最高のＮ個の事前設定されたインデックス、または特定のＮ個の事前設定されたインデックス。
【０２２５】
事前設定されたインデックスは、以下のうちの少なくとも１つを含む：キャリアインデックス、帯域幅部分インデックス、制御リソースセットインデックス、または制御チャネルリソースインデックス。Ｎは、１以上の正の整数である。
【０２２６】
本開示のある実施形態において、特定のチャネル特性仮説は、以下のうちの少なくとも１つ含む：高優先順位情報要素のチャネル特性仮説；第１の特定の高優先順位情報要素のチャネル特性仮説（第１の特定の高優先順位情報要素に関連付けられた第Ａタイプのパケットインデックスは、低優先順位情報要素に関連付けられた第Ａタイプのパケットインデックスと同じである）；第２の特定の高優先順位情報要素のチャネル特性仮説（第２の特定の高優先順位情報要素に関連付けられた第２のタイプのパケットインデックスは、低優先順位情報要素に関連付けられた第２のタイプのパケットインデックスと同じである）；または、第３の特定の高優先順位情報要素のチャネル特性仮説（第３の特定の高優先順位情報要素に関連付けられた第３のタイプのパケットインデックスは、低優先順位情報要素に関連付けられた第３のタイプのパケットインデックスと同じである）。
【０２２７】
本開示のある実施形態において、特定のチャネル特性仮説は、以下のうちの少なくとも１つを含む：事前構成されたチャネル特性仮説；低優先順位情報要素に関連付けられた第Ａタイプのパケットの事前構成されたチャネル特性仮説；第１の事前決定された条件を満たす事前設定されたインデックスに関連付けられたチャネル特性仮説；または、一次キャリアまたは一次セルのチャネル特性仮説；第３の事前決定された条件を満たす事前設定されたインデックスのうちの第１の事前決定された条件を満たす事前設定されたインデックスに関連付けられたチャネル特性仮説（第３の事前決定された条件を満たす事前設定されたインデックスは、低優先順位情報要素に関連付けられた第Ａタイプのパケットに関連付けられた事前設定されたインデックスを含む）；低優先順位情報要素に関連付けられた第Ａタイプのパケットに関連付けられた一次キャリアのチャネル特性仮説；高優先順位情報要素のチャネル特性仮説；または、第１の特定の高優先順位情報要素のチャネル特性仮説（第１の特定の高優先順位情報要素に関連付けられた第Ａタイプのパケットインデックスは、低優先順位情報要素に関連付けられた第Ａタイプのパケットインデックスと同じである）。
【０２２８】
第１の事前決定された条件を満たす事前設定されたインデックスは、以下のうちの１つを含む：最低のＮ個の事前設定されたインデックス、最高のＮ個の事前設定されたインデックス、または特定のＮ個の事前設定されたインデックス。
【０２２９】
事前設定されたインデックスは、以下のうちの少なくとも１つを含む：キャリアインデックス、帯域幅部分インデックス、制御リソースセットインデックス、または制御チャネルリソースインデックス。Ｎは、１以上の正の整数である。
【０２３０】
本開示のある実施形態において、優先順位基準に従って、以下のうちの少なくとも１つが、実施される：低優先順位情報要素のチャネル特性仮説を特定のチャネル特性仮説によって置換すること、または、特定のチャネル特性仮説を使用することによって低優先順位情報要素を受信すること；高優先順位情報要素を受信すること、または、低優先順位情報要素を受信しないこと；または、低優先順位情報要素を除去すること。
【０２３１】
受信された情報要素は、以下の条件のうちの少なくとも１つを満たす：受信された情報要素の異なるチャネル特性仮説の数が第１のタイプの閾値を上回らないこと、または、受信された情報要素のチャネル特性仮説の数が第１のタイプの閾値を上回らないこと、または、情報要素の数が第１のタイプの閾値を上回らないこと；受信された情報要素に関連付けられた第１のタイプのパラメータが第２のタイプの閾値を上回らないこと；受信された情報要素に関連付けられた第２のタイプのパラメータが第３のタイプの閾値を上回らないこと；または、受信された情報要素に関連付けられた第３のタイプのパラメータが第４のタイプの閾値を上回らないこと。
【０２３２】
本開示のある実施形態において、優先順位基準は、以下のうちの少なくとも１つを含む：第１の特定のデータチャネルの優先順位が制御チャネルの優先順位より高いこと；第１の特定のデータチャネルの優先順位がダウンリンク参照信号の優先順位より高いこと：制御チャネルの優先順位が第２の特定のデータチャネルの優先順位より高いこと；ダウンリンク参照信号の優先順位が第２の特定のデータチャネルの優先順位より高いこと；制御チャネルの優先順位がダウンリンク参照信号の優先順位より高いこと；または、スロット集合内のデータチャネルの優先順位が制御チャネルの優先順位より高いこと、または、マルチスロットモードにおけるデータチャネルの優先順位が制御チャネルの優先順位より高いこと。
【０２３３】
第１の特定のデータチャネルは、第１の特定の閾値以上のスケジューリングオフセットを有するデータチャネルを含み、第２の特定のデータチャネルは、第１の特定の閾値未満のスケジューリングオフセットを有するデータチャネルを含む。
【０２３４】
本開示のある実施形態において、優先順位基準は、制御チャネルの優先順位がデータチャネルの優先順位より高いことを含む。
【０２３５】
本開示のある実施形態において、優先順位基準は、以下のうちの少なくとも１つを含む：非周期的参照信号の優先順位が周期的参照信号の優先順位より高いこと、または、第１の特定の非周期的参照信号の優先順位が周期的参照信号の優先順位より高いこと；非周期的参照信号の優先順位が半連続参照信号の優先順位より高いこと、または、第１の特定の非周期的参照信号の優先順位が半連続参照信号の優先順位より高いこと；または、半連続参照信号の優先順位が周期的参照信号の優先順位より高いこと。
【０２３６】
第１の特定の非周期的参照信号は、第２の特定の閾値以上のスケジューリングオフセットを有する非周期的参照信号を含む。
【０２３７】
本開示のある実施形態において、優先順位基準は、以下のうちの少なくとも１つを含む：第１の特定の非周期的参照信号の優先順位が第２の特定の非周期的参照信号の優先順位より高いこと；周期的参照信号の優先順位が第２の特定の非周期的参照信号のスケジューリングの優先順位より高いこと；または、半連続参照信号の優先順位が第２の特定の非周期的参照信号の優先順位より高いこと。
【０２３８】
第１の特定の非周期的参照信号は、第２の特定の閾値以上のスケジューリングオフセットを有する非周期的参照信号を含み、第２の特定の非周期的参照信号は、第２の特定の閾値未満のスケジューリングオフセットを有する非周期的参照信号を含む。
【０２３９】
本開示のある実施形態において、優先順位基準は、以下のうちの少なくとも１つを含む：参照信号インデックスによって優先順位を決定すること；制御リソースセットインデックスによって優先順位を決定すること；制御リソースセットの組み合わせインデックスによって優先順位を決定すること；シーケンス番号またはＲＮＴＩのタイプによって優先順位を決定すること；帯域幅部分インデックス、キャリアインデックス、またはセルインデックスによって優先順位を決定すること；または、チャネル品質またはチャネル状態情報レポートにおける参照信号の報告シーケンスによって優先順位を決定すること。
【０２４０】
本開示のある実施形態において、優先順位基準は、以下のうちの少なくとも１つを含む：第３の特定のデータチャネルの優先順位が第４の特定のデータチャネルの優先順位より高いこと；第５の特定のデータチャネルの優先順位が第６の特定のデータチャネルの優先順位より高いこと；一次セルまたは一次キャリア内の制御チャネルの優先順位が二次セルまたは二次キャリア内の制御チャネルの優先順位より高いこと；または、一次セルまたは一次キャリア内の参照信号の優先順位が二次セルまたは二次キャリア内の参照信号の優先順位より高いこと；または、二次セルまたは二次キャリア内の第４の特定のデータチャネルまたは制御チャネル、または参照信号の優先順位が第５の特定のデータチャネルの優先順位より高いこと。
【０２４１】
第３の特定のデータチャネルは、一次セルまたは一次キャリア内の第１の特定のデータチャネルを含み、第４の特定のデータチャネルは、二次セルまたは二次キャリア内の第１の特定のデータチャネルを含み、第５の特定のデータチャネルは、一次セルまたは一次キャリア内の第２の特定のデータチャネルを含み、第６の特定のデータチャネルは、二次セルまたは二次キャリア内の第２の特定のデータチャネルを含み、第１の特定のデータチャネルは、第１の特定の閾値以上のスケジューリングオフセットを有するデータチャネルを含み、第２の特定のデータチャネルは、第１の特定の閾値未満のスケジューリングオフセットを有するデータチャネルを含む。
【０２４２】
図１２を参照すると、本開示の別の実施形態は、第２の通信モジュール１２０１と、送信モジュール１２０２とを含む通信ノードを提供する。
【０２４３】
第２の通信モジュール１２０１は、以下のうちの少なくとも１つを実施するように構成される：第１の通信ノードによって送信された能力情報を受信すること；情報要素のパラメータ情報を第１の通信ノードに送信すること；または、情報要素のチャネル特性仮説を第１の通信ノードに送信すること。
【０２４４】
送信モジュール１２０２は、情報要素を送信するように構成される。
【０２４５】
情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。
【０２４６】
本開示のある実施形態において、能力情報は、以下のうちの少なくとも１つを含む：第１のタイプの情報、第２のタイプの情報、または第３のタイプの情報。
【０２４７】
パラメータ情報は、以下のうちの少なくとも１つを含む：第４のタイプの情報または第５のタイプの情報。
【０２４８】
第１のタイプの情報、第２のタイプの情報、第３のタイプの情報、第４のタイプの情報、および第５のタイプの情報は、前述の実施形態のそれらと同じであり、ここでは繰り返されないであろう。
【０２４９】
本開示のある実施形態において、第２の通信モジュール１２０１は、第１の通信ノードによって送信される能力情報に従って、パラメータ情報を決定し得、パラメータ情報を第１の通信ノードに送信する。具体的に、能力情報は、パラメータ情報として受け取られ得る。例えば、第１の通信ノードの能力情報が、パケットレポートをサポートするそれであるとき、第２の通信ノードによって取得される第１の通信ノードの能力は、最大２つの異なるチャネル特性仮説の信号伝送をサポートするそれであり（第１の通信ノードの能力情報が、パケットレポートをサポートしないものであるとき、第１の通信ノードの能力は、デフォルトで最大１つのみの異なるチャネル特性仮説の信号伝送をサポートするそれであり）、したがって、第２の通信ノードによって構成される復調参照信号ポート群の数は、２である。
【０２５０】
第２の通信モジュール１２０１は、第１の通信ノードによって送信される能力情報に従って、パラメータ情報を決定しないこともあり、それは、本開示の実施形態において限定されない。
【０２５１】
通信ノードの具体的実装は、前述の実施形態におけるそれと同じであり、ここでは繰り返されないであろう。
【０２５２】
本開示の別の実施形態は、プロセッサと、コンピュータ読み取り可能な記憶媒体とを含む通信ノードを提供し、コンピュータ読み取り可能な記憶媒体は、命令を記憶し、命令は、プロセッサによって実行されると、上で説明される情報要素を伝送する方法のうちのいずれか１つを実装する。
【０２５３】
本開示の別の実施形態は、コンピュータ読み取り可能な記憶媒体をさらに提供する。コンピュータ読み取り可能な記憶媒体は、コンピュータプログラムを記憶し、コンピュータプログラムは、プロセッサによって実行されると、上で説明される情報要素を伝送する方法のうちのいずれか１つのことを実装する。
【０２５４】
コンピュータ記憶媒体は、限定ではないが、ランダムアクセスメモリ（ＲＡＭ）、読み取り専用メモリ（ＲＯＭ）、電気的消去可能プログラマブル読み取り専用メモリ（ＥＥＰＲＯＭ）、フラッシュメモリ、または他のメモリ技術、コンパクトディスク読み取り専用メモリ（ＣＤ−ＲＯＭ）、デジタルビデオディスク（ＤＶＤ）、または他の光ディスク記憶装置、磁気カセット、磁気テープ、磁気ディスク記憶装置、または他の磁気記憶デバイス、または所望の情報を記憶するために使用され、コンピュータによってアクセス可能である任意の他の媒体を含む。
【０２５５】
図１３を参照すると、本開示の別の実施形態は、情報要素を伝送するためのシステムを提供する。システムは、第１の通信ノード１３０１と、第２の通信ノード１３０２とを含む。
【０２５６】
第１の通信ノード１３０１は、能力情報を第２の通信ノードに送信すること、第２の通信ノードによって構成された情報要素のパラメータ情報を受信すること、または、第２の通信ノードによって構成された情報要素のチャネル特性仮説を受信することのうちの少なくとも１つを実施すること；能力情報、パラメータ情報、または第２の通信ノードによって構成された情報要素のチャネル特性仮説のうちの少なくとも１つに従って、情報要素を受信する様式を決定することを行うように構成される。
【０２５７】
第２の通信ノード１３０２は、第１の通信ノードによって送信された能力情報を受信すること、情報要素のパラメータ情報を第１の通信ノードに送信すること、または、情報要素のチャネル特性仮説を第１の通信ノードに送信することのうちの少なくとも１つを実施すること；情報要素を送信することを行うように構成される。
【０２５８】
情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。
【０２５９】
第１の通信ノードおよび第２の通信ノードの具体的実装は、上記実施形態におけるそれと同じであり、ここでは繰り返されないであろう。
【図１】
2021531694.tif 000003
【図２】
2021531694.tif 000004
【図３】
2021531694.tif 000005
【図４】
2021531694.tif 000006
【図５】
2021531694.tif 000007
【図６】
2021531694.tif 000008
【図７】
2021531694.tif 000009
【図８】
2021531694.tif 000010
【図９】
2021531694.tif 000011
【図１０】
2021531694.tif 000012
【図１１】
2021531694.tif 000013
【図１２】
2021531694.tif 000014
【図１３】
2021531694.tif 000015
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
方法であって、前記方法は、
第１の通信ノードによって、第２の通信ノードによって構成された第１の情報要素の第１のチャネル特性仮説を受信することと、
前記第１の通信ノードによって、前記第１の情報要素の前記第１のチャネル特性仮説と第２の情報要素の第２のチャネル特性仮説との間の衝突を決定することと、
前記第１の通信ノードによって、前記第１の情報要素の受信を優先させることと
を含み、
前記第１の情報要素の優先順位は、前記第２の情報要素の優先順位より高い、方法。
【請求項２】
前記チャネル特性仮説は、準コロケーション（ＱＣＬ）を備えている、請求項１に記載の方法。
【請求項３】
前記第１の情報要素は、制御チャネルであり、前記第２の情報要素は、データチャネルである、請求項１に記載の方法。
【請求項４】
前記第２の情報要素は、閾値未満のスケジューリングオフセットを有する、請求項１に記載の方法。
【請求項５】
前記第１の情報要素は、１つ以上の第１の時間単位に対応し、前記第２の情報要素は、１つ以上の第２の時間単位に対応し、前記１つ以上の第１および第２の時間単位の各時間単位は、直交周波数分割多重化（ＯＦＤＭ）シンボルのための時間に対応し、前記１つ以上の第１の時間単位は、前記１つ以上の第２の時間単位と部分的または完全に重複している、請求項１に記載の方法。
【請求項６】
前記第２の情報要素は、セルの最近傍スロットの最低制御リソースセット識別子（ＣＯＲＥＳＥＴ  ＩＤ）の準コロケーション（ＱＣＬ）状態を使用する、請求項４に記載の方法。
【請求項７】
装置であって、前記装置は、
プロセッサと、
実行命令を含むメモリと
を備え、
前記実行命令は、前記プロセッサによって実行されると、
第１の通信ノードによって、第２の通信ノードによって構成された第１の情報要素の第１のチャネル特性仮説を受信することと、
前記第１の通信ノードによって、前記第１の情報要素の前記第１のチャネル特性仮説と第２の情報要素の第２のチャネル特性仮説との間の衝突を決定することと、
前記第１の通信ノードによって、前記第１の情報要素の受信を優先させることと
を含む動作を実施し、
前記第１の情報要素の優先順位は、前記第２の情報要素の優先順位より高い、装置
【請求項８】
前記チャネル特性仮説は、準コロケーション（ＱＣＬ）を備えている、請求項７に記載の装置。
【請求項９】
前記第１の情報要素は、制御チャネルであり、前記第２の情報要素は、データチャネルである、請求項７に記載の装置。
【請求項１０】
前記第２の情報要素は、閾値未満のスケジューリングオフセットを有する、請求項７に記載の装置。
【請求項１１】
前記第１の情報要素は、１つ以上の第１の時間単位に対応し、前記第２の情報要素は、１つ以上の第２の時間単位に対応し、前記１つ以上の第１および第２の時間単位の各時間単位は、直交周波数分割多重化（ＯＦＤＭ）シンボルのための時間に対応し、前記１つ以上の第１の時間単位は、前記１つ以上の第２の時間単位と部分的または完全に重複している、請求項７に記載の装置。
【請求項１２】
前記第２の情報要素は、セルの最近傍スロットの最低制御リソースセット識別子（ＣＯＲＥＳＥＴ  ＩＤ）の準コロケーション（ＱＣＬ）状態を使用する、請求項１０に記載の装置。
【請求項１３】
命令を含むコンピュータ読み取り可能な媒体であって、前記命令は、プロセッサによって実行されると、
第１の通信ノードによって、第２の通信ノードによって構成された第１の情報要素の第１のチャネル特性仮説を受信することと、
前記第１の通信ノードによって、前記第１の情報要素の前記第１のチャネル特性仮説と第２の情報要素の第２のチャネル特性仮説との間の衝突を決定することと、
前記第１の通信ノードによって、前記第１の情報要素の受信を優先させることと
を含む動作を実施し、
前記第１の情報要素の優先順位は、前記第２の情報要素の優先順位より高い、コンピュータ読み取り可能な媒体。
【請求項１４】
前記チャネル特性仮説は、準コロケーション（ＱＣＬ）を備えている、請求項１３に記載のコンピュータ読み取り可能な媒体。
【請求項１５】
前記第１の情報要素は、制御チャネルであり、前記第２の情報要素は、データチャネルである、請求項１３に記載のコンピュータ読み取り可能な媒体。
【請求項１６】
前記第２の情報要素は、閾値未満のスケジューリングオフセットを有する、請求項１３に記載のコンピュータ読み取り可能な媒体。
【請求項１７】
前記第１の情報要素は、１つ以上の第１の時間単位に対応し、前記第２の情報要素は、１つ以上の第２の時間単位に対応し、前記１つ以上の第１および第２の時間単位の各時間単位は、直交周波数分割多重化（ＯＦＤＭ）シンボルのための時間に対応し、前記１つ以上の第１の時間単位は、前記１つ以上の第２の時間単位と部分的または完全に重複している、請求項１３に記載のコンピュータ読み取り可能な媒体。
【請求項１８】
前記第２の情報要素は、セルの最近傍スロットの最低制御リソースセット識別子（ＣＯＲＥＳＥＴ  ＩＤ）の準コロケーション（ＱＣＬ）状態を使用する、請求項１６に記載のコンピュータ読み取り可能な媒体。
【手続補正２】
【補正対象書類名】明細書
【補正対象項目名】００３２
【補正方法】変更
【補正の内容】
【００３２】
本開示の実施形態において、第１の通信ノードは、第１の通信ノードが能力情報を第２の通信ノードに送信すること、第１の通信ノードが第２の通信ノードによって構成された情報要素のパラメータ情報を受信すること、または、第１の通信ノードが第２の通信ノードによって構成された情報要素のチャネル特性仮説を受信することのうちの少なくとも１つを実施し、第１の通信ノードは、能力情報、パラメータ情報、または情報要素のチャネル特性仮説のうちの少なくとも１つに従って、情報要素を受信する様式を決定する。情報要素は、Ｑ１個の参照信号、Ｑ２個のデータチャネル、またはＱ３個の制御チャネルのうちの少なくとも１つを含み、Ｑ１、Ｑ２、およびＱ３は、１以上の整数である。本開示の実施形態において、情報要素を受信する様式は、マルチアンテナパネルの情報要素の受信融通性を改良し、アンテナパネルのリソース利用効率を改良し、それによって、システム性能を改良するように、能力情報、パラメータ情報、または情報要素のチャネル特性仮説のうちの少なくとも１つに従って決定される。
本発明はさらに、例えば、以下を提供する。
（項目１）
情報要素を伝送する方法であって、前記方法は、
第１の通信ノードによって、能力情報を第２の通信ノードに送信すること、前記第１の通信ノードによって、第２の通信ノードによって構成された情報要素のパラメータ情報を受信すること、または、前記第１の通信ノードによって、前記第２の通信ノードによって構成された前記情報要素のチャネル特性仮説を受信することのうちの少なくとも１つを前記第１の通信ノードによって実施することと、
前記第１の通信ノードによって、前記能力情報、前記パラメータ情報、または前記情報要素の前記チャネル特性仮説のうちの少なくとも１つに従って、前記情報要素を受信する様式を決定することと
を含み、
前記情報要素は、Ｑ１個の参照信号、Ｑ２個のデータチャネル、またはＱ３個の制御チャネルのうちの少なくとも１つを備え、Ｑ１、Ｑ２、およびＱ３は、１以上の整数である、方法。
（項目２）
前記情報要素の特性は、
複数の情報要素を同時に伝送すること、
前記第２の通信ノードによって、複数の情報要素を同時に送信すること、
前記第１の通信ノードによって、複数の情報要素を同時に受信すること、または、
複数の情報要素が同じ時間単位に関連付けられていること、または、複数の情報要素に関連付けられた時間単位が部分的または完全に重複していること
のうちの少なくとも１つを含み、
前記同じ時間単位または前記時間単位の各々は、直交周波数分割多重化、ＯＦＤＭシンボル、サブＯＦＤＭシンボル、またはスロットのうちの少なくとも１つを備えている、項目１に記載の方法。
（項目３）
前記能力情報は、第１のタイプの情報、第２のタイプの情報、または第３のタイプの情報以のうちの少なくとも１つを備えている、項目１に記載の方法。
（項目４）
前記第１のタイプの情報は、
第Ａタイプのパケットの数、
前記第１の通信ノードの第Ａのタイプのパケットの数、
チャネル状態情報レポートにおける第１のタイプのパケット内の参照信号の数または最大数、
チャネル状態情報レポートにおける第２のタイプのパケット内の参照信号の数または最大数、
チャネル状態情報レポートにおける第３のタイプのパケット内の参照信号の数または最大数、
同時に送信されるアップリンク参照信号リソースまたはアップリンクチャネルのうちの少なくとも１つの数または最大数、
同時に受信されるダウンリンク参照信号リソースまたはダウンリンクチャネルのうちの少なくとも１つの数または最大数、
同時に受信されるダウンリンク参照信号リソースまたはダウンリンクチャネルのチャネル特性仮説のうちの少なくとも１つの数または最大数、
同時に受信されるダウンリンク参照信号リソースまたはダウンリンクチャネルのうちの少なくとも１つの異なるチャネル特性仮説の数または最大数、または、異なるチャネル特性仮説を有し、同時に受信されるダウンリンク情報要素の数または最大数、
参照信号リソースまたは参照信号リソースセットによって構成されるチャネル特性仮説の数または最大数、
参照信号リソースセット、ビーム管理のための参照信号リソースセット、参照信号受信電力レポートのための参照信号リソース、参照信号受信品質レポートのための参照信号リソース、信号対干渉および雑音比レポートのための参照信号リソースセット、または、反復シグナリングを伴って構成される参照信号リソースセットのうちの１つの数または最大数、
復調参照信号ポート群の数または最大数、または合同伝送モードにおける復調参照信号ポート群の数または最大数、または
物理ダウンリンク制御チャネルの制御リソースセットの組み合わせの数または最大数
のうちの少なくとも１つを備えている、項目３に記載の方法。
（項目５）
前記アップリンク参照信号は、質測定用参照信号、位相追跡参照信号、または復調参照信号の少なくとも１つを備えている、項目４に記載の方法。
（項目６）
前記ダウンリンク参照信号は、チャネル状態情報参照信号、ダウンリンク位相追跡参照信号、同期化信号ブロック、同期化信号／物理ブロードキャストチャネル、ダウンリンク復調参照信号、または追跡のためのチャネル状態情報参照信号のうちの少なくとも１つを備えている、項目４に記載の方法。
（項目７）
前記第２のタイプの情報は、
１つの第Ａタイプのパケットの下の第Ｂタイプのパケットの数、
前記第１の通信ノードの１つの第Ａタイプのパケットの下の第Ｂタイプのパケットの数、または、
チャネル状態情報レポートにおける１つの第３のタイプのパケット内で同時に受信される参照信号の数または最大数
のうちの少なくとも１つを備えている、項目３に記載の方法。
（項目８）
前記第３のタイプの情報は、
ダウンリンク情報要素を同時に受信することの能力情報、
マルチ伝送ノード伝送モードの能力情報、または合同伝送モードの能力情報、または直接通信の能力情報、
複数の復調参照信号ポート群のモードの能力情報、
物理ダウンリンク制御チャネルの制御リソースセットの複数の組み合わせの能力情報、または、
パケットレポートの能力情報
のうちの少なくとも１つを備えている、項目３に記載の方法。
（項目９）
前記パラメータ情報は、第４のタイプの情報または第５のタイプの情報のうちの少なくとも１つを備えている、項目１に記載の方法。
（項目１０）
前記第４のタイプの情報は、
第Ａタイプのパケットの数、
前記第２の通信ノードの第Ａタイプのパケットの数、
同時に送信されるダウンリンク情報要素のチャネル特性仮説の数または最大数、または、同時に送信されるダウンリンク情報要素の異なるチャネル特性仮説の数または最大数、
同時に送信されるダウンリンク情報要素の数または最大数、または、異なるチャネル特性仮説を有し、同時に送信されるダウンリンク情報要素の数または最大数、
同時に処理されるダウンリンク情報要素の数または最大数、
同時に処理されるダウンリンク情報要素に関連付けられたチャネル特性仮説の数または最大数、
同時に処理されるダウンリンク情報要素の異なるチャネル特性仮説の数または最大数、
異なるチャネル特性仮説を有し、同時に処理されるダウンリンク情報要素の数または最大数、
チャネル状態情報レポートにおける第１のタイプのパケット内の参照信号の数または最大数、または、チャネル状態情報レポートにおける第１のタイプのパケット内の同じ参照信号リソースセットからであるか、または同じ参照信号構成である参照信号の数または最大数、
チャネル状態情報レポートにおける第２のタイプのパケット内の参照信号の数または最大数、または、チャネル状態情報レポートにおける同じ参照信号リソースセットまたは同じ参照信号構成に参照信号を含む第２のタイプのパケットの数または最大数、
チャネル状態情報レポートにおける第３のタイプのパケットの数または最大数、または、チャネル状態情報レポートにおける同じ参照信号リソースセットまたは同じ参照信号構成に参照信号を含む第３のタイプのパケットの数または最大数、
復調参照信号ポート群の数または最大数、または合同伝送モードにおける復調参照信号ポート群の数または最大数、
物理ダウンリンク制御チャネルの制御リソースセットの組み合わせの数または最大数、または、
直接通信のリソース群の数
のうちの少なくとも１つを備えている、項目９に記載の方法。
（項目１１）
前記処理されることは、受信されること、監視されること、または測定されることのうちの１つを含む、項目１０に記載の方法。
（項目１２）
前記第１のタイプのパケットの特性は、
前記第１のタイプのパケット内の参照信号が同時に受信されることができること、または、
異なる第１のタイプのパケットの参照信号が同時に受信されることができないこと、または異なる第１のタイプのパケットの異なる参照信号が同時に受信されることができないこと
のうちの少なくとも１つを含む、項目４または１０に記載の方法。
（項目１３）
前記第２のタイプのパケットの特性は、
異なる第２のタイプのパケットの参照信号が同時に受信されることができること、または、
前記第２のタイプのパケット内の参照信号が同時に受信されることができないこと、または前記第２のタイプのパケット内の異なる基準参照信号が同時に受信されることができないこと
のうちの少なくとも１つを含む、項目４または１０に記載の方法。
（項目１４）
前記第５のタイプの情報は、
１つの第Ａタイプのパケットの下の第Ｂタイプのパケットの数、または前記第２の通信ノードの１つの第Ａタイプのパケットの下の第Ｂタイプのパケットの数、または、
チャネル状態情報レポートにおける第３のタイプのパケット内の同時に受信される参照信号の数または最大数、またはチャネル状態情報レポートにおける第３のタイプのパケット内の同じ参照信号セットからであるか、または同じ参照信号構成である参照信号の数または最大数
のうちの少なくとも１つを備えている、項目９に記載の方法。
（項目１５）
前記第３のタイプのパケットの特性は、
異なる第３のタイプのパケットの参照信号が同時に受信されることができること、
前記第３のタイプのパケット内のＦ個以下の参照信号が同時に受信されることができること、または前記第３のタイプのパケット内のＦ個以下の異なる参照信号が同時に受信されることができること、または、
前記第３のタイプのパケット内のＦ個以下の参照信号が同時に受信されることができないこと、または前記第３のタイプのパケット内のＦ個以下の異なる参照信号が同時に受信されることができないこと
のうちの少なくとも１つを含み、
Ｆは、１以上の正の整数である、項目４、７、１０、または１４に記載の方法。
（項目１６）
前記第Ａタイプのパケットは、パネルまたはアンテナアレイのうちの１つを備えている、項目４、７、１０、または１４に記載の方法。
（項目１７）
前記第Ａタイプのパケットの特性は、
それぞれの異なる第Ａタイプのパケットに関連付けられた情報要素が同時に送信されることができること、
それぞれの異なる第Ａタイプのパケットに関連付けられた情報要素が同時に受信されることができること、
同じ第Ａタイプのパケットに関連付けられた情報要素が同時に送信されることができないこと、または、異なるチャネル特性仮説を有し、同じ第Ａタイプのパケットに関連付けられた情報要素が同時に送信されることができないこと、または、
同じ第Ａタイプのパケットに関連付けられた情報要素が同時に受信されることができないこと、または、異なるチャネル特性仮説を有し、同じ第Ａタイプのパケットに関連付けられた情報要素が同時に受信されることができないこと
のうちの少なくとも１つを含む、項目４、７、１０、または１４に記載の方法。
（項目１８）
前記第Ａタイプのパケットの特性は、
同じ第Ａタイプのパケットに関連付けられたＥ個以下の情報要素が同時に送信されることができること、または、異なるチャネル特性仮説を有し、同じ第Ａタイプのパケットに関連付けられたＥ個以下の情報要素が同時に送信されることができること、
同じ第Ａタイプのパケットに関連付けられたＥ個以下の情報要素が同時に送信されることができないこと、または、異なるチャネル特性仮説を有し、同じ第Ａタイプのパケットに関連付けられたＥ個以下の情報要素が同時に送信されることができないこと、
同じ第Ａタイプのパケットに関連付けられたＥ個以下の情報要素が同時に受信されることができること、または、異なるチャネル特性仮説を有し、同じ第Ａタイプのパケットに関連付けられたＥ個以下の情報要素が同時に受信されることができること、
同じ第Ａタイプのパケットに関連付けられたＥ個以下の情報要素が同時に受信されることができないこと、または、異なるチャネル特性仮説を有し、同じ第Ａタイプのパケットに関連付けられたＥ個以下の情報要素が同時に受信されることができないこと、または、
Ｅ個の第Ｂタイプのパケットが前記第Ａタイプのパケットに含まれること
のうちの少なくとも１つを含み、
Ｅは、１以上の正の整数である、項目４、７、１０、または１４に記載の方法。
（項目１９）
前記第Ｂタイプのパケットの特性は、
それぞれの異なる第Ｂタイプのパケットに関連付けられた情報要素が同時に送信されることができること、
それぞれの異なる第Ｂタイプのパケットに関連付けられた情報要素が同時に受信されることができること、
同じ第Ｂタイプのパケットに関連付けられた情報要素が同時に送信されることができないこと、または、異なるチャネル特性仮説を有し、同じ第Ｂタイプのパケットに関連付けられた情報要素が同時に送信されることができないこと、または、
同じ第Ｂタイプのパケットに関連付けられた情報要素が同時に受信されることができないこと、または、異なるチャネル特性仮説を有し、同じ第Ｂタイプのパケットに関連付けられた情報要素が同時に受信されることができないこと
のうちの少なくとも１つを含む、項目７または１４に記載の方法。
（項目２０）
前記チャネル特性仮説は、準コロケーション、空間パラメータ、空間準コロケーション、伝送構成指示状態、空間フィルタ情報、アンテナ群情報、または基準参照信号セットのうちの少なくとも１つを備えている、項目１、４、１０、１７、１８、または１９に記載の方法。
（項目２１）
前記能力情報、前記パラメータ情報、または前記情報要素のチャネル特性仮説のうちの少なくとも１つに従って、前記情報要素を受信する様式を決定することは、
事前設定された条件が前記能力情報、前記パラメータ情報、または前記情報要素のチャネル特性仮説のうちの少なくとも１つによって満たされる場合、前記第１の通信ノードによって、前記情報要素を受信する様式を決定することを含む、項目１に記載の方法。
（項目２２）
前記事前設定された条件は、
情報要素の異なるチャネル特性仮説の数が第１のタイプの閾値を上回ること、または情報要素のチャネル特性仮説の数が第１のタイプの閾値を上回ること、または情報要素の数が第１のタイプの閾値を上回ること、
前記情報要素に関連付けられた第１のタイプのパラメータが第２のタイプの閾値を上回ること、
前記情報要素に関連付けられた第２のタイプのパラメータが第３のタイプの閾値を上回ること、または、
前記情報要素に関連付けられた第３のタイプのパラメータが第４のタイプの閾値を上回ること
のうちの少なくとも１つを含み、
前記能力情報に含まれる第３のタイプの情報は、ダウンリンク情報要素を同時に受信することをサポートすること、マルチ伝送ノード伝送モードをサポートすること、合同伝送モードをサポートすること、複数の復調参照信号ポート群のモードをサポートすること、パケットレポートをサポートすること、直接通信をサポートすること、または複数の物理ダウンリンク制御チャネルの制御リソースセットを組み合わせることをサポートすることのうちの少なくとも１つを含み、
前記第１のタイプの閾値、または前記第２のタイプの閾値、または前記第３のタイプの閾値、または前記第４のタイプの閾値は、前記能力情報または前記パラメータ情報のうちの少なくとも１つに従って決定される、項目２１に記載の方法。
（項目２３）
前記第１のタイプの閾値、または前記第２のタイプの閾値、または前記第３のタイプの閾値、または前記第４のタイプの閾値は、１、２、３、４、第１のタイプの情報、第２のタイプの情報、第４のタイプの情報、第５のタイプの情報、第１のタイプの情報と第２のタイプの情報との積、または第４のタイプの情報と第５のタイプの情報との積のうちの少なくとも１つを備えている、項目２２に記載の方法。
（項目２４）
前記第１のタイプのパラメータは、情報要素に関連付けられた第１のタイプのパケットの数、または情報要素に関連付けられた異なる第１のタイプのパケットインデックスの数を備えている、項目２２に記載の方法。
（項目２５）
前記第２のタイプのパラメータは、
前記第１の通信ノードの同じ第Ａタイプのパケットインデックスの情報要素の数または最大数、
前記第１の通信ノードの同じ第Ａタイプのパケットインデックスのチャネル特性仮説の数または最大数であって、前記同じ第Ａタイプのパケットインデックスは、情報要素に関連付けられている、数または最大数、
前記第１の通信ノードの同じ第Ａタイプのパケットインデックスの異なるチャネル特性仮説の数または最大数であって、前記同じ第Ａタイプのパケットインデックスは、情報要素に関連付けられている、数または最大数、
同じ第２のタイプのパケットインデックスの情報要素の数または最大数、または情報要素に関連付けられた同じ第２のタイプのパケットインデックスのチャネル特性仮説の数または最大数、または情報要素に関連付けられた同じ第２のタイプのパケットインデックスの異なるチャネル特性仮説の数または最大数、または、
同じ第３のタイプのパケットインデックスの情報要素の数または最大数、または情報要素に関連付けられた同じ第３のタイプのパケットインデックスのチャネル特性仮説の数または最大数、または情報要素に関連付けられた同じ第３のタイプのパケットインデックスの異なるチャネル特性仮説の数または最大数
のうちの少なくとも１つを備えている、項目２２に記載の方法。
（項目２６）
前記情報要素に関連付けられた前記第３のタイプのパラメータは、
前記第２の通信ノードの同じ第Ａタイプのパケットの情報要素の数または最大数であって、前記同じ第Ａタイプのパケットは、前記情報要素に関連付けられている、数または最大数、
前記第２の通信ノードの同じ第Ａタイプのパケットのチャネル特性仮説の数または最大数であって、前記同じ第Ａタイプのパケットは、情報要素に関連付けられている、数または最大数、または、
前記第２の通信ノードの同じ第Ａタイプのパケットの異なるチャネル特性仮説の数または最大数であって、前記同じ第Ａタイプのパケットは、情報要素に関連付けられている、数または最大数
のうちの少なくとも１つを備えている、項目２２に記載の方法。
（項目２７）
前記事前設定された条件は、
情報要素の数が第５のタイプの閾値を上回ること、または情報要素の異なるチャネル特性仮説の数が第５のタイプの閾値を上回ること、または情報要素のチャネル特性仮説の数が第５のタイプの閾値を上回ること、
ダウンリンク情報要素を同時に受信することをサポートしないこと、マルチ伝送ノード伝送モードをサポートしないこと、合同伝送モードをサポートしないこと、複数の復調参照信号ポート群のモードをサポートしないこと、パケットレポートをサポートしないこと、直接通信をサポートしないこと、または複数の物理ダウンリンク制御チャネルの制御リソースセットを組み合わせることをサポートしないことのうちの少なくとも１つを含む第３のタイプの情報、
前記能力情報に含まれる第３のタイプの情報がデフォルトまたはヌルであること、または、
前記能力情報に含まれる第３のタイプの情報が送信されないこと
のうちの少なくとも１つを含み、
前記第５のタイプの閾値は、１、２、３、または４のうちの少なくとも１つを備えている、項目２１に記載の方法。
（項目２８）
前記情報要素を受信する様式を決定することは、
低優先順位情報要素のチャネル特性仮説を特定のチャネル特性仮説によって置換すること、または特定のチャネル特性仮説を使用することによって低優先順位情報要素を受信すること、
高優先順位情報要素を受信すること、または低優先順位情報要素を受信しないこと、または、
低優先順位情報要素を除去すること
のうちの少なくとも１つを優先順位基準に従って実施することを含む、項目２１に記載の方法。
（項目２９）
前記低優先順位情報要素に関連付けられたパケットインデックスに関連付けられた情報要素の数が第３のタイプの閾値を上回るか、または、前記低優先順位情報要素のチャネル特性仮説に関連付けられたパケットインデックスに関連付けられた前記チャネル特性仮説の数が第３のタイプの閾値を上回るか、または、前記低優先順位情報要素の前記チャネル特性仮説に関連付けられたパケットインデックスに関連付けられた異なるチャネル特性仮説の数が第３のタイプの閾値を上回る、項目２８に記載の方法。
（項目３０）
前記低優先順位情報要素に関連付けられたパケットインデックスに関連付けられた情報要素の数が第４のタイプの閾値を上回るか、または、前記低優先順位情報要素のチャネル特性仮説に関連付けられたパケットインデックスに関連付けられた前記チャネル特性仮説の数が第４のタイプの閾値を上回るか、または、前記低優先順位情報要素の前記チャネル特性仮説に関連付けられたパケットインデックスに関連付けられた異なるチャネル特性仮説の数が第４のタイプの閾値を上回る、項目２８に記載の方法。
（項目３１）
前記特定のチャネル特性仮説は、
事前構成されたチャネル特性仮説、
第１の事前決定された条件を満たす事前設定されたインデックスに関連付けられたチャネル特性仮説、または一次キャリアのチャネル特性仮説、または、
前記高優先順位情報要素のチャネル特性仮説
のうちの少なくとも１つを備え、
前記第１の事前決定された条件を満たす前記事前設定されたインデックスは、
最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、項目２８に記載の方法。
（項目３２）
前記特定のチャネル特性仮説は、
事前構成されたチャネル特性仮説、
前記低優先順位情報要素に関連付けられた第１のタイプのパケットインデックスの事前構成されたチャネル特性仮説、
第２の事前決定された条件を満たす事前設定されたインデックスのうちの第１の事前決定された条件を満たす事前設定されたインデックスに関連付けられたチャネル特性仮説、または、
前記高優先順位情報要素のチャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記第２の事前決定された条件を満たす前記事前設定されたインデックスは、前記低優先順位情報要素に関連付けられた第１のタイプのパケットインデックスに関連付けられた事前設定されたインデックスを備え、
前記事前設定されたインデックスは、キャリアインデックス、帯域幅部分インデックス、制御リソースセットインデックス、または制御チャネルリソースインデックスをのうちの少なくとも１つを備え、Ｎは、１以上の正の整数である、項目２８に記載の方法。
（項目３３）
前記特定のチャネル特性仮説は、
事前構成されたチャネル特性仮説、
前記低優先順位情報要素に関連付けられた第Ａタイプのパケットインデックスの事前構成されたチャネル特性仮説、または、
前記低優先順位情報要素に関連付けられた第３のタイプのパケットインデックスまたは第２のタイプのパケットインデックスの事前構成されたチャネル特性仮説
のうちの少なくとも１つを備えている、項目２８に記載の方法。
（項目３４）
前記特定のチャネル特性仮説は、
第１の事前決定された条件を満たし、前記低優先順位情報要素に関連付けられた事前設定されたインデックスに関連付けられたチャネル特性仮説、
前記低優先順位情報要素に関連付けられた一次セルまたは一次キャリアのチャネル特性仮説、
第３の事前決定された条件を満たす事前設定されたインデックスのうちの第１の事前決定された条件を満たす事前設定されたインデックスに関連付けられたチャネル特性仮説であって、前記第３の事前決定された条件を満たす前記事前設定されたインデックスは、前記低優先順位情報要素に関連付けられた第Ａタイプのパケットに関連付けられた事前設定されたインデックスを備えている、チャネル特性仮説、
前記低優先順位情報要素に関連付けられた第Ａタイプのパケットに関連付けられた一次キャリアのチャネル特性仮説、
第４の事前決定された条件を満たす事前設定されたインデックスのうちの第１の事前決定された条件を満たす事前設定されたインデックスに関連付けられたチャネル特性仮説であって、前記第４の事前決定された条件を満たす前記事前設定されたインデックスは、前記低優先順位情報要素に関連付けられた第２のタイプのパケットに関連付けられた事前設定されたインデックスを備えている、チャネル特性仮説、または、
第５の事前決定された条件を満たす事前設定されたインデックスのうちの第１の事前決定された条件を満たす事前設定されたインデックスに関連付けられたチャネル特性仮説であって、前記第５の事前決定された条件を満たす前記事前設定されたインデックスは、前記低優先順位情報要素に関連付けられた第３のタイプのパケットに関連付けられた事前設定されたインデックスを備えている、チャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、項目２８に記載の方法。
（項目３５）
前記特定のチャネル特性仮説は、
前記高優先順位情報要素のチャネル特性仮説、
第１の特定の高優先順位情報要素のチャネル特性仮説であって、前記第１の特定の高優先順位情報要素に関連付けられた第Ａタイプのパケットインデックスは、前記低優先順位情報要素に関連付けられた第Ａタイプのパケットインデックスと同じである、第１の特定の高優先順位情報要素のチャネル特性仮説、
第２の特定の高優先順位情報要素のチャネル特性仮説であって、前記第２の特定の高優先順位情報要素に関連付けられた第２のタイプのパケットインデックスは、前記低優先順位情報要素に関連付けられた第２のタイプのパケットインデックスと同じである、第２の特定の高優先順位情報要素のチャネル特性仮説、または、
第３の特定の高優先順位情報要素のチャネル特性仮説であって、前記第３の特定の高優先順位情報要素に関連付けられた第３のタイプのパケットインデックスは、前記低優先順位情報要素に関連付けられた第３のタイプのパケットインデックスと同じである、第３の特定の高優先順位情報要素のチャネル特性仮説
のうちの少なくとも１つを備えている、項目２８に記載の方法。
（項目３６）
前記特定のチャネル特性仮説は、
事前構成されたチャネル特性仮説、
前記低優先順位情報要素に関連付けられた第Ａタイプのパケットの事前構成されたチャネル特性仮説、
第１の事前決定された条件を満たす事前設定されたインデックスに関連付けられたチャネル特性仮説、または一次キャリアまたは一次セルのチャネル特性仮説、
第３の事前決定された条件を満たす事前設定されたインデックスのうちの第１の事前決定された条件を満たす事前設定されたインデックスに関連付けられたチャネル特性仮説であって、前記第３の事前決定された条件を満たす前記事前設定されたインデックスは、前記低優先順位情報要素に関連付けられた第Ａタイプのパケットに関連付けられた事前設定されたインデックスを備えている、チャネル特性仮説、
前記低優先順位情報要素に関連付けられた第Ａタイプのパケットに関連付けられた一次キャリアのチャネル特性仮説、
前記高優先順位情報要素のチャネル特性仮説、または、
第１の特定の高優先順位情報要素のチャネル特性仮説であって、前記第１の特定の高優先順位情報要素に関連付けられた第Ａタイプのパケットインデックスは、前記低優先順位情報要素に関連付けられた第Ａタイプのパケットインデックスと同じである、第１の特定の高優先順位情報要素のチャネル特性仮説
のうちの少なくとも１つを備え、
前記第１の事前決定された条件を満たす前記事前設定されたインデックスは、最低のＮ個の事前設定されたインデックス、最高のＮ個の事前設定されたインデックス、または特定のＮ個の事前設定されたインデックスのうちの１つを備え、
前記事前設定されたインデックスは、キャリアインデックス、帯域幅部分インデックス、制御リソースセットインデックス、または制御チャネルリソースインデックスのうちの少なくとも１つを備え、Ｎは、１以上の正の整数である、項目２８に記載の方法。
（項目３７）
前記優先順位基準に従って、以下のうちの少なくとも１つを実施した後、前記方法は、前記低優先順位情報要素のチャネル特性仮説を前記特定のチャネル特性仮説によって置換すること、または前記特定のチャネル特性仮説を使用することによって、前記低優先順位情報要素を受信すること、前記高優先順位情報要素を受信すること、または前記低優先順位情報要素を受信しないこと、または前記低優先順位情報要素を除去することをさらに含み、
前記受信された情報要素は、
受信された情報要素の異なるチャネル特性仮説の数が第１のタイプの閾値を上回らないこと、または受信された情報要素のチャネル特性仮説の数が第１のタイプの閾値を上回らないこと、または情報要素の数が第１のタイプの閾値を上回らないこと、
前記受信された情報要素に関連付けられた第１のタイプのパラメータが第２のタイプの閾値を上回らないこと、
前記受信された情報要素に関連付けられた第２のタイプのパラメータが第３のタイプの閾値を上回らないこと、または、
前記受信された情報要素に関連付けられた第３のタイプのパラメータが第４のタイプの閾値を上回らないこと
の条件うちの少なくとも１つを満たす、項目２８に記載の方法。
（項目３８）
前記優先順位基準は、
第１の特定のデータチャネルの優先順位が制御チャネルの優先順位より高いこと、
第１の特定のデータチャネルの優先順位がダウンリンク参照信号の優先順位より高いこと、
制御チャネルの優先順位が第２の特定のデータチャネルの優先順位より高いこと、
ダウンリンク参照信号の優先順位が第２の特定のデータチャネルの優先順位より高いこと、
制御チャネルの優先順位がダウンリンク参照信号の優先順位より高いこと、または、
スロット集合内のデータチャネルの優先順位が制御チャネルの優先順位より高いこと、またはマルチスロットモードにおけるデータチャネルの優先順位が制御チャネルの優先順位より高いこと
のうちの少なくとも１つを含み、
前記第１の特定のデータチャネルは、第１の特定の閾値以上のスケジューリングオフセットを有するデータチャネルを備え、前記第２の特定のデータチャネルは、前記第１の特定の閾値未満のスケジューリングオフセットを有するデータチャネルを備えている、項目２８に記載の方法。
（項目３９）
前記優先順位基準は、制御チャネルの優先順位がデータチャネルの優先順位より高いことを含む、項目２８に記載の方法。
（項目４０）
前記優先順位基準は、
非周期的参照信号の優先順位が周期的参照信号の優先順位より高いこと、または第１の特定の非周期的参照信号の優先順位が周期的参照信号の優先順位より高いこと、
非周期的参照信号の優先順位が半連続参照信号の優先順位より高いこと、または第１の特定の非周期的参照信号の優先順位が半連続参照信号の優先順位より高いこと、または、
半連続参照信号の優先順位が周期的参照信号の優先順位より高いこと
のうちの少なくとも１つを含み、
前記第１の特定の非周期的参照信号は、第２の特定の閾値以上のスケジューリングオフセットを有する非周期的参照信号を備えている、項目２８に記載の方法。
（項目４１）
前記優先順位基準は、
第１の特定の非周期的参照信号の優先順位が第２の特定の非周期的参照信号の優先順位より高いこと、
周期的参照信号の優先順位が第２の特定の非周期的参照信号のスケジューリングの優先順位より高いこと、または、
半連続参照信号の優先順位が第２の特定の非周期的参照信号の優先順位より高いこと
のうちの少なくとも１つを含み、
前記第１の特定の非周期的参照信号は、第２の特定の閾値以上のスケジューリングオフセットを有する非周期的参照信号を備え、前記第２の特定の非周期的参照信号は、前記第２の特定の閾値未満のスケジューリングオフセットを有する非周期的参照信号を備えている、項目２８に記載の方法。
（項目４２）
前記優先順位基準は、
参照信号インデックスによって優先順位を決定すること、
制御リソースセットインデックスによって優先順位を決定すること、
制御リソースセットの組み合わせインデックスによって優先順位を決定すること、
シーケンス番号または無線ネットワークによって一時的に示されるタイプによって優先順位を決定すること、
帯域幅部分インデックス、キャリアインデックス、またはセルインデックスによって優先順位を決定すること、または、
チャネル品質またはチャネル状態情報レポートにおける参照信号の報告シーケンスによって優先順位を決定すること
のうちの少なくとも１つを含む、項目２８に記載の方法。
（項目４３）
前記優先順位基準は、
第３の特定のデータチャネルの優先順位が第４の特定のデータチャネルの優先順位より高いこと、
第５の特定のデータチャネルの優先順位が第６の特定のデータチャネルの優先順位より高いこと、
一次セルまたは一次キャリア内の制御チャネルの優先順位が二次セルまたは二次キャリア内の制御チャネルの優先順位より高いこと、または一次セルまたは一次キャリア内の参照信号の優先順位が二次セルまたは二次キャリア内の参照信号の優先順位より高いこと、または、
二次セルまたは二次キャリア内の第４の特定のデータチャネルまたは制御チャネルまたは参照信号の優先順位が第５の特定のデータチャネルの優先順位より高いこと
のうちの少なくとも１つを含み、
前記第３の特定のデータチャネルは、前記一次セルまたは前記一次キャリア内の第１の特定のデータチャネルを備え、前記第４の特定のデータチャネルは、前記二次セルまたは前記二次キャリア内の第１の特定のデータチャネルを備え、前記第５の特定のデータチャネルは、前記一次セルまたは前記一次キャリア内の第２の特定のデータチャネルを備え、前記第６の特定のデータチャネルは、前記二次セルまたは前記二次キャリア内の第２の特定のデータチャネルを備え、前記第１の特定のデータチャネルは、第１の特定の閾値以上のスケジューリングオフセットを有するデータチャネルを備え、前記第２の特定のデータチャネルは、前記第１の特定の閾値未満のスケジューリングオフセットを有するデータチャネルを備えている、項目２８に記載の方法。
（項目４４）
情報要素を伝送する方法であって、前記方法は、
第２の通信ノードによって、第１の通信ノードによって送信された能力情報を受信すること、前記第２の通信ノードによって、情報要素のパラメータ情報を前記第１の通信ノードに送信すること、または、前記第２の通信ノードによって、前記情報要素のチャネル特性仮説を前記第１の通信ノードに送信することのうちの少なくとも１つを前記第２の通信ノードによって実施することと、
前記第２の通信ノードによって、前記情報要素を送信することと
を含み、
前記情報要素は、参照信号、データチャネル、または制御チャネルのうちの少なくとも１つを備えている、方法。
（項目４５）
前記能力情報は、第１のタイプの情報、第２のタイプの情報、または第３のタイプの情報のうちの少なくとも１つを備えている、項目４４に記載の方法。
（項目４６）
前記パラメータ情報は、第４のタイプの情報または第５のタイプの情報のうちの少なくとも１つを備えている、項目４４に記載の方法。
（項目４７）
第１の通信ノードにおいて構成された通信ノードであって、前記通信ノードは、
通信モジュールであって、前記通信モジュールは、能力情報を第２の通信ノードに送信すること、第２の通信ノードによって構成された情報要素のパラメータ情報を受信すること、または、第２の通信ノードによって構成された前記情報要素のチャネル特性仮説を受信することのうちの少なくとも１つを実施するように構成されている、通信モジュールと、
決定モジュールであって、前記決定モジュールは、前記能力情報、前記パラメータ情報、または前記情報要素のチャネル特性仮説のうちの少なくとも１つに従って、前記情報要素を受信する様式を決定するように構成されている、決定モジュールと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、通信ノード。
（項目４８）
第２の通信ノードにおいて構成された通信ノードであって、前記通信ノードは、
通信モジュールであって、前記通信モジュールは、第１の通信ノードによって送信された能力情報を受信すること、情報要素のパラメータ情報を前記第１の通信ノードに送信すること、または、前記情報要素のチャネル特性仮説を前記第１の通信ノードに送信することのうちの少なくとも１つを実施するように構成されている、通信モジュールと、
前記情報要素を送信するように構成された送信モジュールと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、通信ノード。
（項目４９）
プロセッサと、コンピュータ読み取り可能な記憶媒体とを備えている通信ノードであって、前記コンピュータ読み取り可能な記憶媒体は、命令を記憶しており、前記命令は、前記プロセッサによって実行されると、項目１−４６のいずれか１項に記載の方法を実装する、通信ノード。
（項目５０）
コンピュータプログラムを記憶するように構成されたコンピュータ読み取り可能な記憶媒体であって、前記コンピュータプログラムは、前記プロセッサによって実行されると、項目１−４６のいずれか１項に記載の方法を実装する、コンピュータ読み取り可能な記憶媒体。
（項目５１）
情報要素を伝送するためのシステムであって、前記システムは、
第１の通信ノードであって、前記第１の通信ノードは、能力情報を第２の通信ノードに送信すること、第２の通信ノードによって構成された情報要素のパラメータ情報を受信すること、または、第２の通信ノードによって構成された前記情報要素のチャネル特性仮説を受信することのうちの少なくとも１つを実施することと、前記能力情報、前記パラメータ情報、または前記情報要素のチャネル特性仮説のうちの少なくとも１つに従って、前記情報要素を受信する様式を決定することとを行うように構成されている、第１の通信ノードと、
第２の通信ノードであって、前記第２の通信ノードは、第１の通信ノードによって送信された能力情報を受信すること、前記情報要素のパラメータ情報を前記第１の通信ノードに送信すること、または、前記情報要素のチャネル特性仮説を前記第１の通信ノードに送信することのうちの少なくとも１つを実施することと、前記情報要素を送信することとを行うように構成されている、第２の通信ノードと
を備え、
前記情報要素は、Ｑ１個の参照信号、Ｑ２個のデータチャネル、またはＱ３個の制御チャネルのうちの少なくとも１つを備え、
Ｑ１、Ｑ２、およびＱ３は、１以上の整数である、システム。
【国際調査報告】
2021531694.tif 000016
2021531694.tif 000017
2021531694.tif 000018
2021531694.tif 000019